(57)【要約】  ワイヤレス通信のための方法、システム、およびデバイスが記載される。マシンタイプ通信デバイスであり得るとともに半二重能力を有し得るユーザ機器（ＵＥ）が、時間的に重複するアップリンクリソースおよびダウンリンクリソースのための許可を受信し得る。ＵＥは、たとえば、許可に優先度を付けてよく、低優先度許可を取り下げるか、またはより低優先度の許可によって割り当てられたリソースの重複しない部分を監視してよい。ＵＥは、いくつかの例では、１つもしくは複数の許可に、または基地局からの明示的指示に基づいて、ダウンリンク送信用の確認応答モードを決定し得る。制御フォーマットインジケータは、許可に、またはバンドリングサイズに基づいて解釈され得る。いくつかのケースでは、ＵＥは、（たとえば、送信および受信モードの間で切り替わるため、または周波数を切り替えるための）再チューニング時間を識別することができ、再チューニング時間に基づいて、アップリンクおよびダウンリンクバンドリングサイズを決定することができる。【選択図】      図１７
2018526884.tif 000002
【特許請求の範囲】
【請求項１】
ワイヤレス通信の方法であって、
アップリンクデータチャネル用のバンドルされたリソースの第１のセットを使って通信することと、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるハイブリッド自動再送ＨＡＲＱプロセス識別子をもつアップリンク許可、またはダウンリンク許可を備えると決定することと、
前記バンドルされたリソースの第１のセットと前記バンドルされたリソースの第２のセットとの間の時間差を識別することと、
前記決定することおよび前記識別することに少なくとも部分的に基づいて、前記バンドルされたリソースの第２のセットを使って通信することとを備える方法。
【請求項２】
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、請求項１に記載の方法。
【請求項３】
前記バンドルされたリソースの第２のセットが前記アップリンク許可を備えるかどうかの前記決定は、前記バンドルされたリソースの第２のセットの周期性、または前記バンドルされたリソースの第１のセットの最大バンドルサイズに少なくとも部分的に基づく、請求項１に記載の方法。
【請求項４】
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定することをさらに備え、前記バンドルされたリソースの第２のセットを使って通信することは、前記バンドルされたリソースの第２のセット中の前記許可を取り下げることを備える、請求項１に記載の方法。
【請求項５】
前記バンドルされたリソースの第２のセットが、前記アップリンクデータチャネルと前記同じＨＡＲＱプロセス識別子をもつ前記アップリンク許可を備えると決定することをさらに備え、前記バンドルされたリソースの第２のセットを使って通信することは、前記時間差を識別したことに少なくとも基づいて、前記アップリンク許可を取り下げることを備える、請求項１に記載の方法。
【請求項６】
前記バンドルされたリソースの第１のセットと前記バンドルされたリソースの第２のセットとの間の前記時間差を決定することをさらに備え、前記バンドルされたリソースの第２のセットを使って通信することは、前記時間差に少なくとも部分的に基づく、請求項１に記載の方法。
【請求項７】
前記バンドルされたリソースの第１のセットを使って通信することは、前記バンドルされたリソースの第１のセットのサブセットを使うことを備える、請求項６に記載の方法。
【請求項８】
ワイヤレス通信の方法であって、
第１のリソースセットについての第１の許可を受信することと、
第２のリソースセットについての第２の許可を受信することと、
前記第１のリソースセットの一部分が前記第２のリソースセットの一部分と重複すると決定することと、
前記第１の許可と前記第２の許可との間の優先度付けに従って、前記第１のリソースセットまたは前記第２のリソースセットを使って通信することとを備える方法。
【請求項９】
前記優先度に少なくとも部分的に基づいて、前記第１の許可または前記第２の許可を取り下げることをさらに備える、請求項８に記載の方法。
【請求項１０】
前記第１のリソースセットまたは前記第２のリソースセットを使って通信することは、
前記第１のリソースセットと、前記第２のリソースセットの非重複部分とを使って通信することを備える、請求項８に記載の方法。
【請求項１１】
前記第１および第２のリソースセットは各々、アップリンクチャネルまたはダウンリンクチャネルのバンドルされたリソースを備える、請求項８に記載の方法。
【請求項１２】
ワイヤレス通信のための装置であって、
アップリンクデータチャネル用のバンドルされたリソースの第１のセットを使って通信するための手段と、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるＨＡＲＱプロセス識別子をもつアップリンク許可、またはダウンリンク許可を備えると決定するための手段と、
前記バンドルされたリソースの第１のセットと前記バンドルされたリソースの第２のセットとの間の時間差を識別するための手段と、
前記決定することおよび前記識別することに少なくとも部分的に基づいて、前記バンドルされたリソースの第２のセットを使って通信するための手段とを備える装置。
【請求項１３】
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、請求項１２に記載の装置。
【請求項１４】
前記バンドルされたリソースの第２のセットが前記アップリンク許可を備えるかどうかの前記決定は、前記バンドルされたリソースの第２のセットの周期性、または前記バンドルされたリソースの第１のセットの最大バンドルサイズに少なくとも部分的に基づく、請求項１２に記載の装置。
【請求項１５】
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定するための手段をさらに備え、前記バンドルされたリソースの第２のセットを使って通信することは、前記バンドルされたリソースの第２のセット中の前記許可を取り下げることを備える、請求項１２に記載の装置。
【請求項１６】
前記バンドルされたリソースの第２のセットが、前記アップリンクデータチャネルと前記同じＨＡＲＱプロセス識別子をもつ前記アップリンク許可を備えると決定するための手段をさらに備え、前記バンドルされたリソースの第２のセットを使って通信することは、前記時間差を識別したことに少なくとも基づいて、前記アップリンク許可を取り下げることを備える、請求項１２に記載の装置。
【請求項１７】
前記バンドルされたリソースの第１のセットと前記バンドルされたリソースの第２のセットとの間の前記時間差を決定するための手段をさらに備え、前記バンドルされたリソースの第２のセットを使って通信することは、前記時間差に少なくとも部分的に基づく、請求項１２に記載の装置。
【請求項１８】
前記バンドルされたリソースの第１のセットを使って通信するための前記手段は、前記バンドルされたリソースの第１のセットのサブセットを使うことを備える、請求項１７に記載の装置。
【請求項１９】
ワイヤレス通信のための装置であって、
第１のリソースセットについての第１の許可を受信するための手段と、
第２のリソースセットについての第２の許可を受信するための手段と、
前記第１のリソースセットの一部分が前記第２のリソースセットの一部分と重複すると決定するための手段と、
前記第１の許可と前記第２の許可との間の優先度付けに従って、前記第１のリソースセットまたは前記第２のリソースセットを使って通信するための手段とを備える装置。
【請求項２０】
前記優先度に少なくとも部分的に基づいて、前記第１の許可または前記第２の許可を取り下げるための手段をさらに備える、請求項１９に記載の装置。
【請求項２１】
前記第１のリソースセットまたは前記第２のリソースセットを使って通信するための前記手段は、
前記第１のリソースセットと、前記第２のリソースセットの非重複部分とを使って通信するための手段を備える、請求項１９に記載の装置。
【請求項２２】
前記第１および第２のリソースセットは各々、アップリンクチャネルまたはダウンリンクチャネルのバンドルされたリソースを備える、請求項１９に記載の装置。
【請求項２３】
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
アップリンクデータチャネル用のバンドルされたリソースの第１のセットを使って通信させ、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるハイブリッド自動再送要求（ＨＡＲＱ）プロセス識別子をもつアップリンク許可、またはダウンリンク許可を備えると決定させ、
前記バンドルされたリソースの第１のセットと前記バンドルされたリソースの第２のセットとの間の時間差を識別させ、
前記決定および前記識別に少なくとも部分的に基づいて、前記バンドルされたリソースの第２のセットを使って通信させる、装置。
【請求項２４】
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、請求項２３に記載の装置。
【請求項２５】
前記バンドルされたリソースの第２のセットが前記アップリンク許可を備えるかどうかの前記決定は、前記バンドルされたリソースの第２のセットの周期性、または前記バンドルされたリソースの第１のセットの最大バンドルサイズに少なくとも部分的に基づく、請求項２３に記載の装置。
【請求項２６】
前記命令は、前記装置に、
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定させるように動作可能であり、前記バンドルされたリソースの第２のセットを使って通信することは、前記バンドルされたリソースの第２のセット中の前記許可を取り下げることを備える、請求項２３に記載の装置。
【請求項２７】
前記命令は、前記装置に、
前記バンドルされたリソースの第２のセットが、前記アップリンクデータチャネルと前記同じＨＡＲＱプロセス識別子をもつ前記アップリンク許可を備えると決定させるように動作可能であり、前記バンドルされたリソースの第２のセットを使って通信することは、前記時間差を識別したことに少なくとも基づいて、前記アップリンク許可を取り下げることを備える、請求項２３に記載の装置。
【請求項２８】
前記命令は、前記装置に、
前記バンドルされたリソースの第１のセットと前記バンドルされたリソースの第２のセットとの間の前記時間差を決定させるように動作可能であり、前記バンドルされたリソースの第２のセットを使って通信することは、前記時間差に少なくとも部分的に基づく、請求項２３に記載の装置。
【請求項２９】
前記バンドルされたリソースの第１のセットを使って通信することは、前記バンドルされたリソースの第１のセットのサブセットを使うことを備える、請求項２８に記載の装置。
【請求項３０】
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
第１のリソースセットについての第１の許可を受信させ、
第２のリソースセットについての第２の許可を受信させ、
前記第１のリソースセットの一部分が前記第２のリソースセットの一部分と重複すると決定させ、
前記第１の許可と前記第２の許可との間の優先度付けに従って、前記第１のリソースセットまたは前記第２のリソースセットを使って通信させる、装置。
【請求項３１】
前記命令は、前記装置に、
前記優先度に少なくとも部分的に基づいて、前記第１の許可または前記第２の許可を取り下げさせるように動作可能である、請求項３０に記載の装置。
【請求項３２】
前記命令は、前記装置に、
前記第１のリソースセットと、前記第２のリソースセットの非重複部分とを使って通信させるように動作可能である、請求項３０に記載の装置。
【請求項３３】
前記第１および第２のリソースセットは各々、アップリンクチャネルまたはダウンリンクチャネルのバンドルされたリソースを備える、請求項３０に記載の装置。
【請求項３４】
ワイヤレス通信のためのコードを記憶する非一時的コンピュータ可読媒体であって、前記コードは、
アップリンクデータチャネル用のバンドルされたリソースの第１のセットを使って通信し、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるハイブリッド自動再送要求（ＨＡＲＱ）プロセス識別子をもつアップリンク許可、またはダウンリンク許可を備えると決定し、
前記バンドルされたリソースの第１のセットと前記バンドルされたリソースの第２のセットとの間の時間差を識別し、
前記決定および前記識別に少なくとも部分的に基づいて、前記バンドルされたリソースの第２のセットを使って通信するように実行可能な命令を備える、非一時的コンピュータ可読媒体。
【請求項３５】
ワイヤレス通信のためのコードを記憶する非一時的コンピュータ可読媒体であって、前記コードは、
第１のリソースセットについての第１の許可を受信し、
第２のリソースセットについての第２の許可を受信し、
前記第１のリソースセットの一部分が前記第２のリソースセットの一部分と重複すると決定し、
前記第１の許可と前記第２の許可との間の優先度付けに従って、前記第１のリソースセットまたは前記第２のリソースセットを使って通信するように実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１６年７月２２日に出願された、「Ｂｕｎｄｌｉｎｇ  ａｎｄ  Ｈｙｂｒｉｄ  Ａｕｔｏｍａｔｉｃ  Ｒｅｐｅａｔ  Ｒｅｑｕｅｓｔ  Ｏｐｅｒａｔｉｏｎ  ｆｏｒ  Ｅｎｈａｎｃｅｄ  Ｍａｃｈｉｎｅ−Ｔｙｐｅ  Ｃｏｍｍｕｎｉｃａｔｉｏｎ」と題する、Ｒｉｃｏ  Ａｌｖａｒｉｎｏらによる米国特許出願第１５／２１７，４４５号、および２０１５年７月２９日に出願された、「Ｂｕｎｄｌｉｎｇ  ａｎｄ  Ｈｙｂｒｉｄ  Ａｕｔｏｍａｔｉｃ  Ｒｅｐｅａｔ  Ｒｅｑｕｅｓｔ  Ｏｐｅｒａｔｉｏｎ  ｆｏｒ  Ｅｎｈａｎｃｅｄ  Ｍａｃｈｉｎｅ−Ｔｙｐｅ  Ｃｏｍｍｕｎｉｃａｔｉｏｎ」と題する、Ｒｉｃｏ  Ａｌｖａｒｉｎｏらによる米国仮特許出願第６２／１９８，６０１号の優先権を主張する。
【０００２】
[0002]以下は概して、ワイヤレス通信に関し、より詳細には、拡張マシンタイプ通信（ＭＴＣ）のためのバンドリング（bundling）およびハイブリッド自動再送要求（ＨＡＲＱ）動作に関する。
【背景技術】
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（たとえば、ロングタームエボリューション（ＬＴＥ（登録商標））システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]ＵＥは、通信を一度に一方向においてサポートすることができ（たとえば、半二重化）、送信と受信とを同時に行うことはできない場合がある。たとえば、マシンタイプ通信（ＭＴＣ）デバイスは、サブフレームにおいてアップリンク送信またはダウンリンク監視のいずれかをサポートし得る。さらに、１つまたは複数のアップリンクまたはダウンリンク許可を使って、制御情報が通信され得る。デバイスがアップリンク許可とダウンリンク許可とを同時に受信した場合、デバイスは、割り当てられたリソースを使って送信および受信をすることができないことがある。
【発明の概要】
【０００５】
[0005]半二重化能力をもつマシンタイプ通信（ＭＴＣ）デバイスであってよいユーザ機器（ＵＥ）は、重複する（overlapping）アップリンクおよびダウンリンクリソースについての許可を受信する場合がある。ＵＥは、許可に優先度を付け、たとえば、低優先度許可を取り下げるか、または低優先度許可によって割り当てられた、重複しない部分リソースを監視し得る。ＵＥは、１つもしくは複数の許可に、または基地局からの明示的指示に基づいて、ダウンリンク送信用の確認応答モードを決定し得る。制御フォーマットインジケータが、いくつかのケースでは、許可に、またはダウンリンクもしくはアップリンクチャネルのバンドリングサイズに基づいて解釈され得る。いくつかのケースでは、ＵＥは、（たとえば、送信および受信モードの間で切り替わるため、または周波数を切り替えるための）再チューニング時間を識別することもでき、再チューニング時間に基づいて、アップリンクおよびダウンリンクバンドリングサイズを決定することができる。
【０００６】
[0006]ワイヤレス通信の方法が記載される。この方法は、第１のリソースセットについての第１の許可を受信することと、第２のリソースセットについての第２の許可を受信することと、第１のリソースセットの一部分が第２のリソースセットの一部分と重複すると決定することと、第１の許可と第２の許可との間の優先度付けに従って、第１のリソースセットまたは第２のリソースセットを使って通信することとを含み得る。
【０００７】
[0007]ワイヤレス通信のための装置が記載される。この装置は、第１のリソースセットについての第１の許可を受信するための手段と、第２のリソースセットについての第２の許可を受信するための手段と、第１のリソースセットの一部分が第２のリソースセットの一部分と重複すると決定するための手段と、第１の許可と第２の許可との間の優先度付けに従って、第１のリソースセットまたは第２のリソースセットを使って通信するための手段とを含み得る。
【０００８】
[0008]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、第１のリソースセットについての第１の許可を受信させ、第２のリソースセットについての第２の許可を受信させ、第１のリソースセットの一部分が第２のリソースセットの一部分と重複すると決定させ、第１の許可と第２の許可との間の優先度付けに従って、第１のリソースセットまたは第２のリソースセットを使って通信させるように動作可能である。
【０００９】
[0009]ワイヤレス通信のためのコードを記憶する非一時的コンピュータ可読媒体が記載される。コードは、第１のリソースセットについての第１の許可を受信し、第２のリソースセットについての第２の許可を受信し、第１のリソースセットの一部分が第２のリソースセットの一部分と重複すると決定し、第１の許可と第２の許可との間の優先度付けに従って、第１のリソースセットまたは第２のリソースセットを使って通信するように実行可能な命令を含み得る。
【００１０】
[0010]本明細書に記載される方法、装置、または非一時的コンピュータ可読媒体のいくつかの例は、優先度に少なくとも部分的に基づいて、第１の許可または第２の許可を取り下げるためのプロセス、特徴、手段、または命令をさらに含み得る。追加または代替として、いくつかの例では、第１のリソースセットまたは第２のリソースセットを使って通信することは、第１のリソースセットと、第２のリソースセットの非重複部分とを使って通信することを備える。
【００１１】
[0011]本明細書に記載される方法、装置、または非一時的コンピュータ可読媒体のいくつかの例では、第１および第２のリソースセットは各々、アップリンクチャネルまたはダウンリンクチャネルのバンドルされたリソースを備える。
【００１２】
[0012]ワイヤレス通信の方法が記載される。この方法は、ＵＥの半二重通信能力に少なくとも部分的に基づいて、ＵＥが送信モードと受信モードとの間で切り替わるための再チューニング時間を識別することと、再チューニング時間に少なくとも部分的に基づいて、アップリンクデータチャネルについての第１のバンドリングサイズと、ダウンリンク制御チャネルについての第２のバンドリングサイズとを決定することと、再チューニング時間および第１のバンドリングサイズまたは第２のバンドリングサイズに従って通信することとを含み得る。
【００１３】
[0013]ワイヤレス通信のための装置が記載される。この装置は、ＵＥの半二重通信能力に少なくとも部分的に基づいて、ＵＥが送信モードと受信モードとの間で切り替わるための再チューニング時間を識別するための手段と、再チューニング時間に少なくとも部分的に基づいて、アップリンクデータチャネルについての第１のバンドリングサイズと、ダウンリンク制御チャネルについての第２のバンドリングサイズとを決定するための手段と、再チューニング時間および第１のバンドリングサイズまたは第２のバンドリングサイズに従って通信するための手段とを含み得る。
【００１４】
[0014]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、ＵＥの半二重通信能力に少なくとも部分的に基づいて、ＵＥが送信モードと受信モードとの間で切り替わるための再チューニング時間を識別させ、再チューニング時間に少なくとも部分的に基づいて、アップリンクデータチャネルについての第１のバンドリングサイズと、ダウンリンク制御チャネルについての第２のバンドリングサイズとを決定させ、再チューニング時間および第１のバンドリングサイズまたは第２のバンドリングサイズに従って通信させるように動作可能である。
【００１５】
[0015]ワイヤレス通信のためのコードを記憶する非一時的コンピュータ可読媒体が記載される。コードは、ＵＥの半二重通信能力に少なくとも部分的に基づいて、ＵＥが送信モードと受信モードとの間で切り替わるための再チューニング時間を識別し、再チューニング時間に少なくとも部分的に基づいて、アップリンクデータチャネルについての第１のバンドリングサイズと、ダウンリンク制御チャネルについての第２のバンドリングサイズとを決定し、再チューニング時間および第１のバンドリングサイズまたは第２のバンドリングサイズに従って通信するように実行可能な命令を含み得る。
【００１６】
[0016]本明細書に記載される方法、装置、または非一時的コンピュータ可読媒体のいくつかの例は、周波数分割複信（ＦＤＤ）構成について、ダウンリンク制御チャネルが再チューニング時間と重複すると決定するためのプロセス、特徴、手段、または命令をさらに含むことができ、通信することは、ダウンリンク制御チャネルを復号するのを控えることを備える。追加または代替として、いくつかの例では、第１のバンドリングサイズを決定することは、再チューニング時間に少なくとも部分的に基づいて、第１のバンドリングサイズまたは第２のバンドリングサイズを、公称バンドリングサイズから低減することを備える。
【００１７】
[0017]本明細書に記載される方法、装置、または非一時的コンピュータ可読媒体のいくつかの例は、時分割複信（ＴＤＤ）について、アップリンクデータチャネルとダウンリンク制御チャネルが同じ狭帯域領域の周波数リソースを備えるかどうか決定するためのプロセス、特徴、手段、または命令をさらに含み得る。追加または代替として、いくつかの例では、通信することは、アップリンクデータチャネルとダウンリンク制御チャネルが同じ狭帯域領域の周波数リソースを備えるとき、ダウンリンク制御チャネルを復号することを備える。
【００１８】
[0018]本明細書に記載される方法、装置、または非一時的コンピュータ可読媒体のいくつかの例では、第１のバンドリングサイズまたは第２のバンドリングサイズは、アップリンクデータチャネルとダウンリンク制御チャネルが同じ狭帯域領域の周波数リソースを備えるかどうかに少なくとも部分的に基づく。追加または代替として、いくつかの例では、ダウンリンク制御チャネルのための開始時間は、再チューニング時間および第１のバンドリングサイズに少なくとも部分的に基づく。
【００１９】
[0019]ワイヤレス通信の方法が記載される。この方法は、ダウンリンク送信のための許可を受信することと、許可に少なくとも部分的に基づいて、ダウンリンク送信のための確認応答モードを決定することとを含み得る。
【００２０】
[0020]ワイヤレス通信のための装置が記載される。この装置は、ダウンリンク送信のための許可を受信するための手段と、許可に少なくとも部分的に基づいて、ダウンリンク送信のための確認応答モードを決定するための手段とを含み得る。
【００２１】
[0021]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、ダウンリンク送信のための許可を受信させ、許可に少なくとも部分的に基づいて、ダウンリンク送信のための確認応答モードを決定させるように動作可能である。
【００２２】
[0022]ワイヤレス通信のためのコードを記憶する非一時的コンピュータ可読媒体が記載される。コードは、ダウンリンク送信のための許可を受信し、許可に少なくとも部分的に基づいて、ダウンリンク送信のための確認応答モードを決定するように実行可能な命令を含み得る。
【００２３】
[0023]本明細書に記載される方法、装置、または非一時的コンピュータ可読媒体のいくつかの例では、許可は、確認応答モードが、ダウンリンク送信用に確認応答メッセージを使うという指示と、確認応答メッセージ用のバンドリング構成の指示とを備える。追加または代替として、いくつかの例では、許可は、確認応答メッセージモードがダウンリンク送信用に確認応答メッセージを使うという指示を備え、確認応答メッセージ用のバンドリング構成は、許可のためのバンドリング構成に少なくとも部分的に基づく。
【００２４】
[0024]本明細書に記載される方法、装置、または非一時的コンピュータ可読媒体のいくつかの例では、許可は、確認応答モードが、ダウンリンク送信用に確認応答メッセージを使うという指示と、確認応答メッセージ用のリソースの指示とを備える。追加または代替として、いくつかの例では、許可は、確認応答モードが、ダウンリンク送信用に確認応答メッセージを使うという指示を備え、ここにおいて、確認応答メッセージ用のリソースは、許可およびバンドリングサイズに少なくとも部分的に基づいて決定した。
【００２５】
[0025]ワイヤレス通信の方法が記載される。この方法は、チャネル条件に少なくとも部分的に基づいて、ダウンリンク送信用の確認応答メッセージモードを決定することと、ダウンリンク送信用のリソースを割り当てるための許可を送信することとを含むことができ、許可は、確認応答メッセージモードの指示を備える。
【００２６】
[0026]ワイヤレス通信のための装置が記載される。この装置は、チャネル条件に少なくとも部分的に基づいて、ダウンリンク送信用の確認応答メッセージモードを決定するための手段と、ダウンリンク送信用のリソースを割り当てるための許可を送信するための手段とを含むことができ、許可は、確認応答メッセージモードの指示を備える。
【００２７】
[0027]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、チャネル条件に少なくとも部分的に基づいて、ダウンリンク送信用の確認応答メッセージモードを決定させ、ダウンリンク送信用のリソースを割り当てるための許可を送信させるように動作可能であり、許可は、確認応答メッセージモードの指示を備える。
【００２８】
[0028]ワイヤレス通信のためのコードを記憶する非一時的コンピュータ可読媒体が記載される。コードは、チャネル条件に少なくとも部分的に基づいて、ダウンリンク送信用の確認応答メッセージモードを決定し、ダウンリンク送信用のリソースを割り当てるための許可を送信するように実行可能な命令を含むことができ、許可は、確認応答メッセージモードの指示を備える。
【００２９】
[0029]本明細書に記載される方法、装置、または非一時的コンピュータ可読媒体のいくつかの例では、許可は、確認応答モードが、ダウンリンク送信用に確認応答メッセージを使うという指示と、確認応答メッセージ用のバンドリング構成とを備える。追加または代替として、いくつかの例では、許可は、確認応答モードがダウンリンク送信用に確認応答メッセージを使うという指示を備え、確認応答メッセージ用のバンドリング構成は、許可のためのバンドリング構成に少なくとも部分的に基づく。
【００３０】
[0030]本明細書に記載される方法、装置、または非一時的コンピュータ可読媒体のいくつかの例では、許可は、確認応答モードが、ダウンリンク送信用に確認応答メッセージを使うという指示と、確認応答メッセージ用のリソースの指示とを備える。追加または代替として、いくつかの例では、許可は、確認応答モードが、ダウンリンク送信用に確認応答メッセージを使うという指示を備え、ここにおいて、確認応答メッセージ用のリソースは、許可およびバンドリングサイズに少なくとも部分的に基づく。
【００３１】
[0031]ワイヤレス通信の方法が記載される。この方法は、アップリンクチャネルまたはダウンリンクチャネル用のバンドリング構成を決定することと、第１の制御フォーマットインジケータを受信することと、アップリンクチャネルまたはダウンリンクチャネル用のバンドリング構成に少なくとも部分的に基づいて、第１の制御フォーマットインジケータに従って通信することとを含み得る。
【００３２】
[0032]ワイヤレス通信のための装置が記載される。この装置は、アップリンクチャネルまたはダウンリンクチャネル用のバンドリング構成を決定するための手段と、第１の制御フォーマットインジケータを受信するための手段と、アップリンクチャネルまたはダウンリンクチャネル用のバンドリング構成に少なくとも部分的に基づいて、第１の制御フォーマットインジケータに従って通信するための手段とを含み得る。
【００３３】
[0033]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、アップリンクチャネルまたはダウンリンクチャネル用のバンドリング構成を決定させ、第１の制御フォーマットインジケータを受信させ、アップリンクチャネルまたはダウンリンクチャネル用のバンドリング構成に少なくとも部分的に基づいて、第１の制御フォーマットインジケータに従って通信させるように動作可能である。
【００３４】
[0034]ワイヤレス通信のためのコードを記憶する非一時的コンピュータ可読媒体が記載される。コードは、アップリンクチャネルまたはダウンリンクチャネル用のバンドリング構成を決定し、第１の制御フォーマットインジケータを受信し、アップリンクチャネルまたはダウンリンクチャネル用のバンドリング構成に少なくとも部分的に基づいて、第１の制御フォーマットインジケータに従って通信するように実行可能な命令を含み得る。
【００３５】
[0035]本明細書に記載される方法、装置、または非一時的コンピュータ可読媒体のいくつかの例は、ダウンリンク許可の中で第２の制御フォーマットインジケータを受信するためのプロセス、特徴、手段、または命令をさらに含むことができ、第１の制御フォーマットインジケータは、システム情報または上位レイヤシグナリング中で受信され、第１の制御フォーマットインジケータに従って通信することは、第２の制御フォーマットインジケータに少なくとも部分的に基づく。
【００３６】
[0036]ワイヤレス通信の方法が記載される。この方法は、アップリンクチャネルまたはダウンリンクチャネル用のバンドリング構成を決定することと、第１の制御フォーマットインジケータを送信することと、アップリンクチャネルまたはダウンリンクチャネル用のバンドリング構成に少なくとも部分的に基づいて、第１の制御フォーマットインジケータまたは第２の制御フォーマットインジケータに従って通信することとを含み得る。
【００３７】
[0037]ワイヤレス通信のための装置が記載される。この装置は、アップリンクチャネルまたはダウンリンクチャネル用のバンドリング構成を決定するための手段と、第１の制御フォーマットインジケータを送信するための手段と、アップリンクチャネルまたはダウンリンクチャネル用のバンドリング構成に少なくとも部分的に基づいて、第１の制御フォーマットインジケータまたは第２の制御フォーマットインジケータに従って通信するための手段とを含み得る。
【００３８】
[0038]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、アップリンクチャネルまたはダウンリンクチャネル用のバンドリング構成を決定させ、第１の制御フォーマットインジケータを送信させ、アップリンクチャネルまたはダウンリンクチャネル用のバンドリング構成に少なくとも部分的に基づいて、第１の制御フォーマットインジケータまたは第２の制御フォーマットインジケータに従って通信させるように動作可能である。
【００３９】
[0039]ワイヤレス通信のためのコードを記憶する非一時的コンピュータ可読媒体が記載される。コードは、アップリンクチャネルまたはダウンリンクチャネル用のバンドリング構成を決定し、第１の制御フォーマットインジケータを送信し、アップリンクチャネルまたはダウンリンクチャネル用のバンドリング構成に少なくとも部分的に基づいて、第１の制御フォーマットインジケータまたは第２の制御フォーマットインジケータに従って通信するように実行可能な命令を含み得る。
【００４０】
[0040]本明細書に記載される方法、装置、または非一時的コンピュータ可読媒体のいくつかの例は、第２の制御フォーマットインジケータをダウンリンク許可の中で送信するためのプロセス、特徴、手段、または命令をさらに含むことができ、第１の制御フォーマットインジケータは、システム情報または上位レイヤシグナリング中で送信される。
【００４１】
[0041]ワイヤレス通信の方法が記載される。この方法は、ＵＥ用のダウンリンクバンドリング構成とアップリンクバンドリング構成とを識別することと、アップリンクおよびダウンリンク通信用のリソース構成を決定することと、ここにおいて、リソース構成は、アップリンクバンドリング構成に関連付けられたリソースの第２のセットとインターリーブされた、ダウンリンクバンドリング構成に関連付けられたリソースの第１のセットを備える、リソース構成に従って、リソースの第１のセットまたはリソースの第２のセットを使って通信することとを含み得る。
【００４２】
[0042]ワイヤレス通信のための装置が記載される。この装置は、ＵＥ用のダウンリンクバンドリング構成とアップリンクバンドリング構成とを識別するための手段と、アップリンクおよびダウンリンク通信用のリソース構成を決定するための手段と、ここにおいて、リソース構成は、アップリンクバンドリング構成に関連付けられたリソースの第２のセットとインターリーブされた、ダウンリンクバンドリング構成に関連付けられたリソースの第１のセットを備える、リソース構成に従って、リソースの第１のセットまたはリソースの第２のセットを使って通信するための手段とを含み得る。
【００４３】
[0043]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、ＵＥ用のダウンリンクバンドリング構成とアップリンクバンドリング構成とを識別することと、アップリンクおよびダウンリンク通信用のリソース構成を決定することと、ここにおいて、リソース構成は、アップリンクバンドリング構成に関連付けられたリソースの第２のセットとインターリーブされた、ダウンリンクバンドリング構成に関連付けられたリソースの第１のセットを備える、リソース構成に従って、リソースの第１のセットまたはリソースの第２のセットを使って通信することとを行わせるように動作可能である。
【００４４】
[0044]ワイヤレス通信のためのコードを記憶する非一時的コンピュータ可読媒体が記載される。コードは、ＵＥ用のダウンリンクバンドリング構成とアップリンクバンドリング構成とを識別することと、アップリンクおよびダウンリンク通信用のリソース構成を決定することと、ここにおいて、リソース構成は、アップリンクバンドリング構成に関連付けられたリソースの第２のセットとインターリーブされた、ダウンリンクバンドリング構成に関連付けられたリソースの第１のセットを備える、リソース構成に従って、リソースの第１のセットまたはリソースの第２のセットを使って通信することとを行うように実行可能な命令を含み得る。
【００４５】
[0045]ワイヤレス通信の方法が記載される。この方法は、アップリンクデータチャネル用のバンドルされたリソースの第１のセットを使って通信することと、ダウンリンク制御チャネル用のバンドルされたリソースの第２のセットが、アップリンクデータチャネルと同じハイブリッド自動再送要求（ＨＡＲＱ）プロセス識別子をもつアップリンク許可、アップリンクデータチャネルとは異なるハイブリッド自動再送要求（ＨＡＲＱ）プロセス識別子をもつアップリンク許可、またはダウンリンク許可を備えると決定することと、バンドルされたリソースの第１のセットと、バンドルされたリソースの第２のセットとの間の時間差を識別することと、決定することおよび識別することに少なくとも部分的に基づいて、バンドルされたリソースの第２のセットを使って通信することとを含み得る。
【００４６】
[0046]ワイヤレス通信のための装置が記載される。この装置は、アップリンクデータチャネルのバンドルされたリソースの第１のセットを使って通信するための手段と、ダウンリンク制御チャネル用のバンドルされたリソースの第２のセットが、アップリンクデータチャネルと同じハイブリッド自動再送要求（ＨＡＲＱ）プロセス識別子をもつアップリンク許可、アップリンクデータチャネルとは異なるＨＡＲＱプロセス識別子をもつアップリンク許可、またはダウンリンク許可を備えると決定するための手段と、バンドルされたリソースの第１のセットと、バンドルされたリソースの第２のセットとの間の時間差を識別するための手段と、決定することおよび識別することに少なくとも部分的に基づいて、バンドルされたリソースの第２のセットを使って通信するための手段とを含み得る。
【００４７】
[0047]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、アップリンクデータチャネルのバンドルされたリソースの第１のセットを使って通信させ、ダウンリンク制御チャネル用のバンドルされたリソースの第２のセットが、アップリンクデータチャネルと同じハイブリッド自動再送要求（ＨＡＲＱ）プロセス識別子をもつアップリンク許可、アップリンクデータチャネルとは異なるＨＡＲＱプロセス識別子をもつアップリンク許可、またはダウンリンク許可を備えると決定させ、バンドルされたリソースの第１のセットと、バンドルされたリソースの第２のセットとの間の時間差を識別させ、決定および識別に少なくとも部分的に基づいて、バンドルされたリソースの第２のセットを使って通信させるように動作可能である。
【００４８】
[0048]ワイヤレス通信のためのコードを記憶する非一時的コンピュータ可読媒体が記載される。コードは、アップリンクデータチャネルのバンドルされたリソースの第１のセットを使って通信し、ダウンリンク制御チャネル用のバンドルされたリソースの第２のセットが、アップリンクデータチャネルと同じＨＡＲＱプロセス識別子をもつアップリンク許可、アップリンクデータチャネルとは異なるＨＡＲＱプロセス識別子をもつアップリンク許可、またはダウンリンク許可を備えると決定し、バンドルされたリソースの第１のセットと、バンドルされたリソースの第２のセットとの間の時間差を識別し、決定および識別に少なくとも部分的に基づいて、バンドルされたリソースの第２のセットを使って通信するように実行可能な命令を含み得る。
【００４９】
[0049]本明細書に記載される方法、装置、または非一時的コンピュータ可読媒体のいくつかの例では、バンドルされたリソースの第１のセットは、第１の閾値以下である第１のバンドリングサイズを備え、バンドルされたリソースの第２のセットは、第２の閾値以下である第２のバンドリングサイズを備え、ならびにここにおいて、第１および第２の閾値はユーザ機器または基地局に事前に知られている。追加または代替として、いくつかの例では、バンドルされたリソースの第２のセットがアップリンク許可を備えるかどうかの決定は、バンドルされたリソースの第２のセットの周期性、またはバンドルされたリソースの第１のセットの最大バンドルサイズに少なくとも部分的に基づく。
【００５０】
[0050]本明細書に記載される方法、装置、または非一時的コンピュータ可読媒体のいくつかの例は、バンドルされたリソースの第２のセット中の許可によって割り当てられた、バンドルされたリソースの第３のセットは、別のダウンリンク制御チャネル用のバンドルされたリソースの第４のセットと時間的に重複すると決定するためのプロセス、特徴、手段、または命令をさらに含むことができ、バンドルされたリソースの第２のセットを使って通信することは、バンドルされたリソースの第２のセット中の許可を取り下げることを備える。追加または代替として、いくつかの例は、バンドルされたリソースの第２のセットが、アップリンクデータチャネルと同じＨＡＲＱプロセス識別子をもつアップリンク許可を備えると決定するためのプロセス、特徴、手段、または命令を含むことができ、バンドルされたリソースの第２のセットを使って通信することは、時間差を識別したことに少なくとも基づいて、アップリンク許可を取り下げることを備える。
【００５１】
[0051]ワイヤレス通信の方法が記載される。この方法は、アップリンク制御チャネル用のバンドルされたリソースの第１のセットを使って通信することと、バンドルされたリソースの第１のセットと、バンドルされたリソースの第２のセットとの間の時間差に少なくとも部分的に基づいて、ダウンリンク制御チャネル用のバンドルされたリソースの第２のセットが、アップリンク許可またはダウンリンク許可を備えると決定することと、決定に少なくとも部分的に基づいて、バンドルされたリソースの第２のセットを使って通信することとを含み得る。
【００５２】
[0052]ワイヤレス通信のための装置が記載される。この装置は、アップリンク制御チャネル用のバンドルされたリソースの第１のセットを使って通信するための手段と、バンドルされたリソースの第１のセットと、バンドルされたリソースの第２のセットとの間の時間差に少なくとも部分的に基づいて、ダウンリンク制御チャネル用のバンドルされたリソースの第２のセットが、アップリンク許可またはダウンリンク許可を備えると決定するための手段と、決定に少なくとも部分的に基づいて、バンドルされたリソースの第２のセットを使って通信するための手段とを含み得る。
【００５３】
[0053]ワイヤレス通信のためのさらなる装置が記載される。この装置は、プロセッサと、プロセッサと電子通信しているメモリと、メモリに記憶された命令とを含むことができ、命令は、プロセッサによって実行されると、装置に、アップリンク制御チャネル用のバンドルされたリソースの第１のセットを使って通信させ、バンドルされたリソースの第１のセットと、バンドルされたリソースの第２のセットとの間の時間差に少なくとも部分的に基づいて、ダウンリンク制御チャネル用のバンドルされたリソースの第２のセットが、アップリンク許可またはダウンリンク許可を備えると決定させ、決定に少なくとも部分的に基づいて、バンドルされたリソースの第２のセットを使って通信させるように動作可能である。
【００５４】
[0054]ワイヤレス通信のためのコードを記憶する非一時的コンピュータ可読媒体が記載される。コードは、アップリンク制御チャネル用のバンドルされたリソースの第１のセットを使って通信し、バンドルされたリソースの第１のセットと、バンドルされたリソースの第２のセットとの間の時間差に少なくとも部分的に基づいて、ダウンリンク制御チャネル用のバンドルされたリソースの第２のセットが、アップリンク許可またはダウンリンク許可を備えると決定し、決定に少なくとも部分的に基づいて、バンドルされたリソースの第２のセットを使って通信するように実行可能な命令を含み得る。
【００５５】
[0055]本明細書に記載される方法、装置、または非一時的コンピュータ可読媒体のいくつかの例は、バンドルされたリソースの第２のセットが、バンドルされたリソースの第１のセットと時間的に重複すると決定するためのプロセス、特徴、手段、または命令をさらに含むことができ、バンドルされたリソースの第２のセットを使って通信することは、バンドルされたリソースの第１のセットを、バンドルされたリソースの第２のセットよりも優先することを備える。
【００５６】
[0056]本開示の態様が、以下の図を参照して説明される。
【図面の簡単な説明】
【００５７】
【図１】[0057]本開示の様々な態様による、拡張マシンタイプ通信のためのバンドリングとＨＡＲＱ動作とをサポートするワイヤレス通信システムの例を示す図。
【図２】[0058]本開示の様々な態様による、拡張マシンタイプ通信のためのバンドリングとＨＡＲＱ動作とをサポートするワイヤレス通信システムの例を示す図。
【図３Ａ】[0059]本開示の様々な態様による、拡張マシンタイプ通信のための例示的なバンドリングとＨＡＲＱ動作とを示す図。
【図３Ｂ】本開示の様々な態様による、拡張マシンタイプ通信のための例示的なバンドリングとＨＡＲＱ動作とを示す図。
【図３Ｃ】本開示の様々な態様による、拡張マシンタイプ通信のための例示的なバンドリングとＨＡＲＱ動作とを示す図。
【図３Ｄ】本開示の様々な態様による、拡張マシンタイプ通信のための例示的なバンドリングとＨＡＲＱ動作とを示す図。
【図３Ｅ】本開示の様々な態様による、拡張マシンタイプ通信のための例示的なバンドリングとＨＡＲＱ動作とを示す図。
【図４】[0060]本開示の様々な態様による、拡張マシンタイプ通信のためのバンドリングとＨＡＲＱ動作とをサポートする１つまたは複数のワイヤレスデバイスのブロック図。
【図５】本開示の様々な態様による、拡張マシンタイプ通信のためのバンドリングとＨＡＲＱ動作とをサポートする１つまたは複数のワイヤレスデバイスのブロック図。
【図６】本開示の様々な態様による、拡張マシンタイプ通信のためのバンドリングとＨＡＲＱ動作とをサポートする１つまたは複数のワイヤレスデバイスのブロック図。
【図７】[0061]本開示の様々な態様による、拡張マシンタイプ通信のためのバンドリングとＨＡＲＱ動作とをサポートするワイヤレスデバイスを含むシステムのブロック図。
【図８】[0062]本開示の様々な態様による、拡張マシンタイプ通信のためのバンドリングとＨＡＲＱ動作とをサポートする基地局を含むシステムのブロック図。
【図９】[0063]本開示の様々な態様による、拡張マシンタイプ通信のためのバンドリングもしくはＨＡＲＱ動作、または両方のための方法を示す図。
【図１０】本開示の様々な態様による、拡張マシンタイプ通信のためのバンドリングもしくはＨＡＲＱ動作、または両方のための方法を示す図。
【図１１】本開示の様々な態様による、拡張マシンタイプ通信のためのバンドリングもしくはＨＡＲＱ動作、または両方のための方法を示す図。
【図１２】本開示の様々な態様による、拡張マシンタイプ通信のためのバンドリングもしくはＨＡＲＱ動作、または両方のための方法を示す図。
【図１３】本開示の様々な態様による、拡張マシンタイプ通信のためのバンドリングもしくはＨＡＲＱ動作、または両方のための方法を示す図。
【図１４】本開示の様々な態様による、拡張マシンタイプ通信のためのバンドリングもしくはＨＡＲＱ動作、または両方のための方法を示す図。
【図１５】本開示の様々な態様による、拡張マシンタイプ通信のためのバンドリングもしくはＨＡＲＱ動作、または両方のための方法を示す図。
【図１６】本開示の様々な態様による、拡張マシンタイプ通信のためのバンドリングもしくはＨＡＲＱ動作、または両方のための方法を示す図。
【図１７】本開示の様々な態様による、拡張マシンタイプ通信のためのバンドリングもしくはＨＡＲＱ動作、または両方のための方法を示す図。
【図１８】本開示の様々な態様による、拡張マシンタイプ通信のためのバンドリングもしくはＨＡＲＱ動作、または両方のための方法を示す図。
【図１９】本開示の様々な態様による、拡張マシンタイプ通信のためのバンドリングもしくはＨＡＲＱ動作、または両方のための方法を示す図。
【発明を実施するための形態】
【００５８】
[0064]いくつかのワイヤレスシステムは、デバイスが人の介入なしに互いに、または基地局と通信することを可能にするデータ通信技術をサポートする。このタイプの通信は、マシンタイプ通信（ＭＴＣ）と呼ばれる場合があり、ＭＴＣデバイスを含むシステムは、ＭＴＣデバイスとの通信を円滑にするための技法を利用することができる。これは、カバレージ拡張技法を適用することと、デバイスの能力に対応するようにＭＴＣデバイスへのリソース割当てをスケジューリングするか、または優先度付けすることとを含み得る。ＭＴＣデバイスをもつものを含むワイヤレス通信システムは、サブフレームにおけるアップリンクおよびダウンリンクリソースのバンドリングをサポートすることができ、これは、いくつかのデバイスのためにカバレージ拡張を提供し得る。ＭＴＣデバイスは、たとえば、アップリンク上で制御信号を送信し、ダウンリンク上で制御信号を監視することができる。さらに、システムは、ハイブリッド自動再送要求（ＨＡＲＱ）タイミングをアップリンク送信およびダウンリンク監視と協調させることができる。
【００５９】
[0065]ＭＴＣデバイスなどのユーザ機器（ＵＥ）は、他のＵＥと比べて、低複雑度、低コストデバイスであってよく、低電力動作、二重化能力（たとえば、半二重化）、および不良無線リンク条件をもつ環境における動作などの特徴によって特徴づけられ得る。低複雑度ＵＥは、カテゴリー０ＵＥと呼ばれる場合があり、他の、より複雑なＵＥは、異なるカテゴリーのＵＥであり得る。いくつかのケースでは、ＭＴＣの動作を向上させる目的で利用される技法または特徴は、拡張ＭＴＣ（ｅＭＴＣ）と呼ばれることがある。いくつかのＭＴＣ  ＵＥは、他のＵＥによって使用される帯域幅と比較して、または利用可能な総システム帯域幅と比較して、狭帯域幅を使用して動作するように構成されてもよい。これらのＭＴＣ  ＵＥは、ＭＴＣ物理ダウンリンク制御チャネル（ＭＰＤＣＣＨ）など、修正されたＤＬ制御チャネルを使うことができる。
【００６０】
[0066]ＭＴＣをサポートするために、システムはしたがって、他のユーザ機器（ＵＥ）とは異なり得る、ＭＴＣデバイスの動作特性を考慮するように構成され得る。これは、様々な繰り返しレベル（たとえば、バンドリング）またはトランスポートブロックサイズを使用して、特定のＭＴＣ固有システム情報をブロードキャストすることを含み得る。これらの繰り返しレベルは、ＭＴＣデバイスがデータを復号する前に受信し得る再送信の数を表し得る。
【００６１】
[0067]いくつかのケースでは、ＭＴＣ  ＵＥは、半二重化をサポートすることができ、ダウンリンクおよびアップリンク許可を同時に受信することができる。したがって、以下で論じるように、これらのケースでは、アップリンクおよびダウンリンク許可のために優先度規則が確立されてよい。追加または代替として、バンドルされたＭＰＤＣＣＨおよびＨＡＲＱが、協調的に監視され得る。いくつかの例では、ＵＬ送信、ＤＬ監視、およびＨＡＲＱプロセスのためのタイミングも協調され得る。
【００６２】
[0068]ワイヤレスシステムはまた、各サブフレーム中で制御チャネル（たとえば、ＰＤＣＣＨなど）を搬送するために何個の直交周波数分割多重（ＯＦＤＭ）シンボルが使われるかを示すのに、制御フォーマットインジケータ（ＣＦＩ）を使うことができる。ＣＦＩは、上位レイヤシグナリングを用いて、または動的リソース許可を用いて、システム情報メッセージ中でシグナリングされてよい。いくつかのケースでは、ＭＴＣ  ＵＥは、複数のＣＦＩを受信する場合があり、バンドリング構成に基づいて適切なものを選択してよい。
【００６３】
[0069]いくつかのケースでは、基地局が、様々なバンドルサイズをもつダウンリンクおよびアップリンク用に、ＭＴＣ  ＵＥ向けの送信をスケジュールし得る。基地局は、狭帯域領域の間の切替え時間、半二重切替え、または両方を確立することもできる。いくつかのケースでは、通信の様々なリソースまたはタイプが優先度付けされてよく、たとえば、進行中の送信が、より高い優先度を（たとえば、Ｍ−ＰＤＣＣＨよりもＰＵＣＣＨ、ＰＵＳＣＨよりもＡＣＫを含むＭＰＤＣＣＨ、許可のためのＭＰＤＣＣＨよりもＰＤＳＣＨ、など）受けてよい。ユニキャストメッセージのためには、および以下で論じるように、早期終了の場合であっても、バンドルの最後からカウントすることによって、公称バンドル用にタイミングが定義され得る。
【００６４】
[0070]上で提起した本開示の態様が、例示的なワイヤレス通信システムのコンテキストにおいて以下で説明される。次いで、ＭＴＣ動作に整合するタイミング構成について、具体例が記載される。本開示のこれらおよび他の態様はさらに、拡張マシンタイプ通信のためのバンドリング動作およびハイブリッド自動再送要求に関する装置図、システム図、およびフローチャートによって例示され、それらを参照して記載される。
【００６５】
[0071]図１は、本開示の様々な態様による、ワイヤレス通信システム１００の例を示す。ワイヤレス通信システム１００は、基地局１０５と、ＵＥ１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、半二重動作および送信バンドリングに基づくタイミング構成を含むＭＴＣ動作をサポートし得る。
【００６６】
[0072]基地局１０５は、１つまたは複数の基地局アンテナを使って、ＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散されてよく、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、ＭＴＣデバイスなどであり得る。
【００６７】
[0073]基地局１０５は、コアネットワーク１３０および互いと通信し得る。たとえば、基地局１０５は、バックホールリンク（backhaul links）１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実施し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００６８】
[0074]上述のように、いくつかのタイプのワイヤレスデバイスは、マシンツーマシン（Ｍ２Ｍ）通信またはＭＴＣを実装するものを含む、自動化された通信を提供し得る。Ｍ２ＭまたはＭＴＣは、情報を測定もしくはキャプチャするためにセンサーもしくはメーターを組み込み、情報を利用することができる中央サーバもしくはアプリケーションプログラムにその情報を中継するか、またはプログラムもしくはアプリケーションと対話するユーザに情報を提示する、デバイスからの通信を含み得る。いくつかのＵＥ１１５は、情報を収集するか、または機械の自動化された挙動を可能にするように設計されたＭＴＣデバイスなどのＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネス課金があり得る。ＭＴＣデバイスは、低減されたピークレートにおいて半二重（一方向）通信を使用して動作し得る。ＭＴＣデバイスは、アクティブ通信に関与していないとき、省電力「ディープスリープ」モードに入るようにも構成されてよく、このモードの間、ＭＴＣデバイスは、何らかの構成部品群を比較的長い時間期間（たとえば、数十ミリ秒、数百ミリ秒、秒、分など）だけ電源切断してよい。
【００６９】
[0075]時間リソースは、０から１０２３にわたるシステムフレーム番号（ＳＦＮ）によって識別され得る、１０ｍｓの長さの無線フレームに従って編成され得る。各フレームは、０から９までの番号を付けられた１０個の１ｍｓサブフレームを含み得る。サブフレームは、さらに２つの０．５ｍｓスロットに分割される場合があり、その各々は、（各シンボルにプリペンドされた（prepended）サイクリックプレフィックスの長さに応じて）６つまたは７つの変調シンボル期間を含んでいる。サイクリックプレフィックスを除いて、各シンボルは２０４８個のサンプル期間を含んでいる。いくつかのケースでは、サブフレームは、ＴＴＩとしても知られる最小のスケジューリング単位であり得る。他のケースでは、ＴＴＩは、サブフレームよりも短い場合があるか、または（たとえば、短いＴＴＩバースト内で、もしくは短いＴＴＩを使用する選択されたコンポーネントキャリア内で）動的に選択される場合がある。いくつかのケースでは、ＬＴＥにおける時間間隔は、基本時間単位（たとえば、サンプリング期間、Ｔｓ＝１／３０，７２０，０００秒）の倍数単位で表され得る。
【００７０】
[0076]ＴＴＩ（たとえば、ＬＴＥにおける１ｍｓ、１つのサブフレームの等価物）は、基地局１０５がＵＬ送信またはＤＬ送信のためにＵＥ１１５をスケジュールし得る最も小さい時間単位として定義され得る。たとえば、ＵＥ１１５がＤＬデータを受信している場合、各１ｍｓ間隔中に、基地局１０５は、リソースを割り当て、それのＤＬデータをどこで探すべきかを（ＰＤＣＣＨ送信を介して）ＵＥ１１５に示し得る。送信が失敗した場合、ＵＥ１１５（または基地局１０５）は、ＨＡＲＱプロシージャに従って否定応答（ＮＡＣＫ）で応答してよい。いくつかのケースでは、ＨＡＲＱプロシージャは、データの複数の再送信をもたらすことがあり、このことは、遅延と損なわれたユーザエクスペリエンスとをもたらすことがある。サービスの低下は、不良無線状態（たとえば、セルのエッジの近く）において特に重大であり得る。この低下は、ＶｏＩＰ（またはＶｏＬＴＥ）など、いくつかの時間的制約のあるユーザサービスにとっては許容可能でないことがある。ＴＴＩバンドリングは、そのような無線状態における通信リンク１２５を改良するために使用され得る。ＴＴＩバンドリングは、典型的なＨＡＲＱ動作の場合のように冗長バージョンを再送信する前にＮＡＣＫを待つのではなく、連続するサブフレーム（ＴＴＩ）のグループにおいて同じ情報の複数のコピーを送ることを伴い得る。
【００７１】
[0077]ＨＡＲＱは、データが通信リンク１２５にわたって正確に受信されることを確実にする方法であり得る。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、不良な無線状態（たとえば、信号対雑音状態）において媒体アクセス制御（ＭＡＣ）レイヤにおけるスループットを改善し得る。インクリメンタル冗長ＨＡＲＱでは、不正確に受信されたデータは、データを正常に復号することの全体的尤度を改善するために、バッファに記憶され、後続の送信と組み合わせられ得る。いくつかのケースでは、冗長ビットが、送信より前に各メッセージに追加される。これは、不良な状態において特に有用であり得る。他のケースでは、冗長ビットは各送信に追加されないが、情報を復号しようとする試みの失敗を示す否定応答（ＮＡＣＫ）を元のメッセージの送信機が受信した後に再送信される。送信、応答および再送信のチェーンは、ＨＡＲＱプロセスと呼ばれることがある。いくつかのケースでは、限られた数のＨＡＲＱプロセスが所与の通信リンク１２５のために使用され得る。ＭＴＣデバイスの場合、バンドリングおよび半二重動作と組み合わされたＨＡＲＱタイミングは、送信のスケジューリングおよび優先度に影響を及ぼし得る。たとえば、ＰＤＣＣＨおよびＰＵＣＣＨ許可が、ＭＴＣ  ＵＥ１１５によって優先度付けされ得る。
【００７２】
[0078]ＰＤＣＣＨは、９つの論理的に隣接するリソース要素グループ（ＲＥＧ）からなり得る、制御チャネル要素（ＣＣＥ）中でダウンリンク制御情報（ＤＣＩ）を搬送し得、ここで、各ＲＥＧは４つのリソース要素（ＲＥ）を含んでいる。ＤＣＩは、ダウンリンク（ＤＬ）スケジューリング割当て、アップリンク（ＵＬ）リソース許可、送信方式、ＵＬ電力制御、ＨＡＲＱ情報、変調およびコーディング方式（ＭＣＳ）に関する情報、ならびに他の情報を含む。ＤＣＩメッセージのサイズおよびフォーマットは、ＤＣＩによって搬送される情報のタイプおよび量に応じて異なり得る。たとえば、空間多重化がサポートされる場合、ＤＣＩメッセージのサイズは、連続周波数割振りと比較して大きい。同様に、多入力多出力（ＭＩＭＯ）を利用するシステムの場合、ＤＣＩは、追加のシグナリング情報を含み得る。ＤＣＩサイズおよびフォーマットは、情報の量、ならびに帯域幅、アンテナポートの数、および複信モードなどのファクタに依存する。ＰＤＣＣＨは複数のユーザに関連するＤＣＩメッセージを搬送することができ、各ＵＥ１１５は、それを対象とするＤＣＩメッセージを復号し得る。たとえば、各ＵＥ１１５はセル無線ネットワーク一時識別情報（Ｃ−ＲＮＴＩ）を割り当てられ得、各ＤＣＩにアタッチされたＣＲＣビットが、Ｃ−ＲＮＴＩに基づいてスクランブルされ得る。
【００７３】
[0079]ユーザ機器における電力消費量とオーバーヘッドとを低減するために、ＣＣＥロケーションの限られたセットが、特定のＵＥ１１５に関連するＤＣＩに指定され得る。ＣＣＥは（たとえば、１つ、２つ、４つおよび８つのＣＣＥのグループに）グループ化され得、ユーザ機器が、関係するＤＣＩを発見し得る、ＣＣＥロケーションのセットが指定され得る。これらのＣＣＥは、探索空間として知られる場合がある。探索空間は、共通ＣＣＥ領域または探索空間と、ＵＥ固有（専用）ＣＣＥ領域または探索空間との２つの領域に区分され得る。共通ＣＣＥ領域は、基地局１０５によってサービスされるすべてのＵＥによって監視され、ページング情報、システム情報、ランダムアクセスプロシージャなどの情報を含み得る。ＵＥ固有探索空間は、ユーザ固有制御情報を含み得る。ＣＣＥはインデックス付けされ得、共通探索空間はＣＣＥ０から開始し得る。ＵＥ固有探索空間のための開始インデックスは、Ｃ−ＲＮＴＩ、サブフレームインデックス、ＣＣＥアグリゲーションレベルおよびランダムシードに依存する。ＵＥ１１５は、ＤＣＩが検出されるまで探索空間がその間にランダムに復号される、ブラインド復号として知られるプロセスを実施することによってＤＣＩを復号しようと試み得る。ブラインド復号の間に、ＵＥ１１５は、それのＣ−ＲＮＴＩを使用してすべての潜在的ＤＣＩメッセージをデスクランブルしようと試み、その試みが成功したかどうかを決定するためにＣＲＣチェックを実施し得る。
【００７４】
[0080]ＰＵＣＣＨは、ＵＬ肯定応答（ＡＣＫ）、スケジューリング要求（ＳＲ）およびチャネル品質インジケータ（ＣＱＩ）および他のＵＬ制御情報に使用され得る。物理アップリンク制御チャネル（ＰＵＣＣＨ）は、コードと２つの連続するリソースブロックとによって定義される制御チャネルにマッピングされ得る。ＵＬ制御シグナリングは、セルのためのタイミング同期の存在に依存し得る。スケジューリング要求（ＳＲ）およびチャネル品質インジケータ（ＣＱＩ）報告のためのＰＵＣＣＨリソースが、無線リソース制御（ＲＲＣ）シグナリングを通して割り当てられ（および取り消され）得る。いくつかのケースでは、ＳＲのためのリソースは、ランダムアクセスチャネル（ＲＡＣＨ）プロシージャを通して同期を獲得した後に割り当てられ得る。他のケースでは、ＳＲは、ＲＡＣＨを通してＵＥ１１５に割り当てられないことがある（すなわち、同期したＵＥは、専用ＳＲチャネルを有することもあり、有しないこともある）。ＵＥがもはや同期しなくなったとき、ＳＲおよびＣＱＩのためのＰＵＣＣＨリソースは失われ得る。
【００７５】
[0081]ワイヤレス通信システム１００は、上位レイヤ（たとえば、ＲＲＣおよびパケットデータコンバージェンスプロトコル（ＰＤＣＰ））を下位レイヤ（たとえば、ＭＡＣレイヤ）に接続する無線リンク制御（ＲＬＣ）レイヤを含み得る。基地局１０５またはＵＥ１１５中のＲＬＣエンティティは、送信パケットが（ＭＡＣレイヤトランスポートブロックサイズに対応する）適宜にサイズ決定されたブロックに編成されることを保証し得る。着信データパケット（すなわち、ＰＤＣＰまたはＲＲＣサービスデータユニット（ＳＤＵ））が送信には大きすぎる場合、ＲＬＣレイヤは、着信データパケットをいくつかのより小さいＲＬＣプロトコルデータユニット（ＰＤＵ）にセグメント化し得る。着信パケットが小さすぎる場合、ＲＬＣレイヤは、それらのうちのいくつかを単一のより大きいＲＬＣ  ＰＤＵに連結し得る。各ＲＬＣ  ＰＤＵは、データをどのようにリアセンブルするかについての情報を含むヘッダを含み得る。ＲＬＣレイヤはまた、パケットが確実に送信されることを保証し得る。送信機は、インデックス付けされたＲＬＣ  ＰＤＵのバッファを保持し、対応する肯定応答（ＡＣＫ）を受信するまで各ＰＤＵの再送信を続け得る。いくつかのケースでは、送信機は、どのＰＤＵのものが受信されたのかを決定するためにポール要求を送り、受信機は、ステータス報告で応答し得る。
【００７６】
[0082]ＭＡＣレイヤのＨＡＲＱとは異なり、ＲＬＣ自動再送要求（ＡＲＱ）は、前方誤り訂正機能を含まないことがある。ＲＬＣエンティティは、３つのモードのうちの１つで動作し得る。確認応答型モード（ＡＭ：acknowledged mode）、非確認応答モード（ＵＭ：unacknowledged mode）、および透過モード（ＴＭ）において。ＡＭでは、ＲＬＣエンティティは、セグメント化／連結とＡＲＱとを実施し得る。このモードは、遅延耐性送信または誤り敏感送信に適していることがある。ＵＭでは、ＲＬＣエンティティは、セグメント化／連結は実施するが、ＡＲＱは実施しないことがある。これは、遅延敏感トラフィックまたは誤りに寛容なトラフィック（たとえば、ボイスオーバーロングタームエボリューション（ＶｏＬＴＥ））に適していることがある。ＴＭは、データバッファリングを実施し、連結／セグメント化もＡＲＱも含まない。ＴＭは、ブロードキャスト制御情報（たとえば、マスター情報ブロック（ＭＩＢ）およびシステム情報ブロック（ＳＩＢ）と、ページングメッセージと、ＲＲＣ接続メッセージとを送信するために主に使用され得る。いくつかの送信は、ＲＬＣ（たとえば、ＲＡＣＨプリアンブルおよび応答）なしに送られ得る。
【００７７】
[0083]キャリアは、周波数分割複信（ＦＤＤ）動作を使って（たとえば、対スペクトルリソースを使って）または時分割複信（ＴＤＤ）動作を使って（たとえば、不対スペクトルリソースを使って）双方向通信を（たとえば、通信リンク１２５を使って）送信し得る。ＦＤＤ（たとえば、フレーム構造タイプ１）およびＴＤＤ（たとえば、フレーム構造タイプ２）のためのフレーム構造が定義され得る。ＴＤＤフレーム構造の場合、各サブフレームは、ＵＬトラフィックまたはＤＬトラフィックを搬送することができ、ＤＬ送信とＵＬ送信との間を切り替えるために特殊サブフレームが使用される場合がある。無線フレーム内でのＵＬサブフレームおよびＤＬサブフレームの割振りは、対称または非対称であってよく、静的に決定されるか、または半静的に再構成されてよい。特殊サブフレームは、ＤＬトラフィックまたはＵＬトラフィックを搬送することができ、ＤＬトラフィックとＵＬトラフィックとの間のガード期間（ＧＰ）を含む場合がある。ＵＬトラフィックからＤＬトラフィックへの切替えは、特殊サブフレームまたはガード期間を使用せずに、ＵＥ１１５においてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成もサポートされ得る。たとえば、ＴＤＤフレームは１つまたは複数の特殊フレームを含み得、特殊フレーム間の期間がフレームのためのＴＤＤ  ＤＬ−ＵＬ間切替えポイント周期性を決定し得る。
【００７８】
[0084]ＴＤＤの使用は、対ＵＬ−ＤＬスペクトルリソースなしの柔軟な展開を提供し得る。いくつかのＴＤＤネットワーク展開では、ＵＬ通信とＤＬ通信との間で干渉（たとえば、異なる基地局からのＵＬ通信とＤＬ通信との間の干渉、基地局およびＵＥからのＵＬ通信とＤＬ通信との間の干渉など）が引き起こされ得る。たとえば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信および復号することを試みるＵＥ１１５は、他の近接して位置するＵＥ１１５からのＵＬ送信からの干渉を受けることがある。
【００７９】
[0085]半二重対応ＭＴＣデバイスなどのＵＥ１１５は、重複するアップリンクおよびダウンリンクリソースについての許可を受信する場合がある。ＵＥ１１５は次いで、許可に優先度を付けるとともに、ある許可に関連付けられた低優先度チャネルの重複しない部分を取り下げるか、または、いくつかのケースでは、監視するかのいずれかを行ってよい。ＵＥ１１５は、１つもしくは複数の許可に、または基地局１０５からの明示的指示に基づいて、ダウンリンク送信のための確認応答モードを決定することもできる。制御フォーマットインジケータ（ＣＦＩ）は、許可に、またはバンドリングサイズに基づいて解釈されてもよい。いくつかのケースでは、ＵＥ１１５は、再チューニング時間を識別することもでき、それに従ってアップリンクおよびダウンリンクバンドリングサイズを決定してよい。
【００８０】
[0086]図２は、本開示の様々な態様による、拡張マシンタイプ通信のためのバンドリング動作およびハイブリッド自動再送要求のためのワイヤレス通信システム２００の例を示す。ワイヤレス通信システム２００は、図１を参照して説明されたＵＥ１１５および基地局１０５の例であり得る、ＵＥ１１５−ａと基地局１０５−ａとを含み得る。ワイヤレス通信システム２００は、半二重動作および送信バンドリングに基づくタイミング構成を含むＭＴＣ動作をサポートし得る。
【００８１】
[0087]ワイヤレス通信システム２００は、低コストおよび低複雑度デバイスの動作を可能にするためにＭＴＣ動作をサポートし得る。たとえば、ＬＴＥシステムのコンテキストでは、これらの低コストＵＥまたはＭＴＣ  ＵＥ１１５は、低減されたピークデータレート（たとえば、トランスポートブロックサイズのための１０００ビットの可能な最大値）、ランク１送信、１つの受信アンテナ、および半二重である場合、たとえば、標準ＵＥのための２０μｓからＭＴＣ  ＵＥのための１ｍｓに緩和された（送信から受信への、またはその逆の）切替えタイミングによって特徴づけられ得る、カテゴリー０ＵＥと呼ばれることがある。これらのＭＴＣ  ＵＥ１１５は、他のＵＥ１１５と同様の様式で、ＰＤＣＣＨとＭＴＣ  ＰＤＣＣＨ（ＭＰＤＣＣＨ））とを含むＤＬ制御チャネルを監視し得る。
【００８２】
[0088]追加のＭＴＣ拡張（いくつかのケースではｅＭＴＣと呼ばれる）も同様にサポートされ得る。たとえば、狭帯域動作は、ＭＴＣ  ＵＥ１１５−ａがより広いシステム帯域幅で動作することが可能であり得るようにサポートされ得る。システム２００は、上記で説明されたように、１．４ＭＨｚまたは６つのＲＢを使って複数のシステム帯域幅範囲（たとえば、１．４／３／５／１０／１５／２０ＭＨｚ）での動作をサポートし得る。さらに、ワイヤレス通信システムは、１５ｄＢまでのカバレージ拡張をサポートし得る。
【００８３】
[0089]ＭＴＣ  ＵＥ１１５−ａは、２方向（たとえば、アップリンクおよびダウンリンク）で、ただし一度に一方向において（たとえば、アップリンクまたはダウンリンク）通信が可能である半二重化（ＨＤ）をサポートし得る。周波数分割複信（ＦＤＤ）ＨＤは、たとえば、２つの異なる周波数を使って、一度に一方向において信号の送信と受信とをサポートする。時分割複信（ＴＤＤ）ＨＤは、一度に一方向において、別個のタイムスロット中にわずかな量のデータを送信することをサポートし得る。ＭＴＣ  ＵＥ１１５−ａは、基地局１０５−ａとの通信のために、ＦＤＤ  ＨＤとＴＤＤ  ＨＤとをサポートし得る。
【００８４】
[0090]ワイヤレス通信システム２００はまた、ＵＥのグループについての制御情報を通信するために制御チャネル要素（ＣＣＥ）が割り振られ、使われる共通探索空間をサポートし、または利用し得る。データ送信のためのＣＣＥアグリゲーションレベルおよび繰り返しの数についての情報は、仕様において固定されるか、またはネットワークによって構成されてよい。いくつかのケースでは、これらのリソースのサブセットが、上位レイヤシグナリングによってＭＰＤＣＣＨ用のＵＥ固有探索空間を構築するために半静的に構成されてよい。これらのケースでは、ＵＥ固有ＣＣＥが特定のＵＥ（たとえば、ＵＥ１１５−ａ）によって復号されてよく、所定の数の繰り返しがＵＥ用に指定されてよい。また、Ｍ−ＰＤＣＣＨ  ＵＥ固有探索空間の開始サブフレームが、拡張カバレージ用に構成されてよい。
【００８５】
[0091]ワイヤレス通信システム２００は、いくつかの例では、１つのフレームが１０個のサブフレームを含むフレームおよびサブフレーム構造をサポートし得る。ＭＴＣ  ＵＥ１１５−ａは、フレームのサブフレームのセット中で、基地局１０５−ａからのメッセージを監視することができ、同じフレーム、異なるフレーム、または両方の、サブフレームの別のセット中で、基地局１０５−ａにメッセージを送信することができる。いくつかのケースでは、ＭＴＣ  ＵＥ１１５−ａは、半二重化をサポートすることができ、ダウンリンクおよびアップリンク許可を同時に受信する場合がある。これらのケースでは、優先度規則が、アップリンクおよびダウンリンク許可について確立され得る。さらに、いくつかのケースでは、バンドルされたＭＰＤＣＣＨ監視がＨＡＲＱ監視と組み合わされ、ＵＬ送信のためのタイミング、ＤＬ監視、およびＨＡＲＱプロセスが協調される。
【００８６】
[0092]例として、ＦＤＤ  ＨＤについて、アップリンクおよびダウンリンクがバンドルされる場合、ＰＵＳＣＨおよびＰＤＳＣＨ割当ては時間的に重複し得る。たとえば、ＭＴＣ  ＵＥ１１５−ａは、サブフレームＮにおいて始まるように指示されたダウンリンク許可と、サブフレームＮ＋４において始まるように指示されたアップリンク許可とを受信する場合があり、両方ともバンドルサイズは８である。このタイプの動作は、ＨＤモードではサポートされない場合がある。代替として、ＤＬ用のバンドルサイズが小さい（たとえば、２）場合、アップリンクに再チューニングする時間があり得、基地局１０５−ａは、両方の許可を同じサブフレームにおいて送信することができる。
【００８７】
[0093]長いバンドルサイズをもつＦＤＤの場合、基地局１０５−ａは、両方の許可を同じサブフレーム中では送信しないように構成され得る。たとえば、アグリゲーションレベル２４が監視される場合、基地局１０５−ａは１つの許可を送ってよい。長いバンドルサイズをもつＴＤＤの場合、ＵＬメッセージの送信とＤＬメッセージの受信が組み合わされ得る。さらに、ＭＴＣ  ＵＥ１１５−ａが、重複するＤＬおよびＵＬ許可の両方を受信した場合、ＭＴＣ  ＵＥ１１５−ａ用の規則をシグナリングすることが適切であり得る。いくつかのケースでは、許可のうちの１つが取り下げられる（たとえば、ＤＬを保持し、ＵＬを取り下げる）場合があり、他のケースでは、１つの許可がまたは、優先される（たとえば、ＤＬメッセージの監視の前にＵＬ送信を終了する）場合がある。
【００８８】
[0094]ＭＴＣ  ＵＥ１１５−ａは、アップリンクメッセージを送信し、次いで、たとえば、ＭＰＤＣＣＨを使って、ダウンリンクメッセージを監視し得る。これらのケースでは、システム２００は、ＭＴＣ  ＵＥ１１５−ａがそのＲＦチェーンの様相を再チューニングするための、ＵＬ送信とＤＬ監視との間の時間（たとえば、ＦＤＤのためには１ｍｓであり、ＴＤＤのためには１〜３つのシンボルである）を考慮してよい。代替として、ＦＤＤ  ＨＤのために、ＭＴＣ  ＵＥ１１５−ａは、再チューニングするための時間が不十分なときはＭＰＤＣＣＨを監視しないように構成されてよい。また、ＭＴＣ  ＵＥ１１５−ａは、再チューニングするための時間を見込むために、ＰＵＳＣＨまたはＭＰＤＣＣＨのいずれかのために短縮バンドルサイズを使ってよい。
【００８９】
[0095]ＴＤＤ用に、ＭＴＣ  ＵＥ１１５−ａは、ＰＵＳＣＨと同じ狭帯域にあるとき、ＭＰＤＣＣＨを監視することができる。ＤＬおよびＵＬ向けの狭帯域割振りが異なる場合、ＭＴＣ  ＵＥ１１５−ａは、ＭＰＤＣＣＨ許可を破棄することができる。さらに、ＭＴＣ  ＵＥ１１５−ａは、同じ狭帯域が使われる場合はフルフォーマットを、異なる狭帯域が使われる場合は短縮フォーマットを監視してよい。たとえば、短縮フォーマットは、再チューニング用の３つの制御シンボルをもつサブフレームを含み得る。いくつかのケースでは、フルフォーマットは、シグナリングされるいくつかの制御シンボルを含み得る。基地局１０５−ａは、送信と監視との間に再チューニングのための時間を見込むように、ＭＰＤＣＣＨおよびＰＵＳＣＨ許可をスケジュールするようにも構成され得る。
【００９０】
[0096]ＨＡＲＱフィードバックのためのＰＵＣＣＨの送信は、ダウンリンクデータレートを低減し得る。いくつかのケースでは、ダウンリンクデータレートの低減は顕著であり得る。ＭＴＣ  ＵＥ１１５−ａはしたがって、通信システムにおけるエラーの見込みが低いか、または許容可能に低いとき、ＨＡＲＱプロセスではなくＭＡＣプロセスに依拠し得る。いくつかのケースでは、ＰＵＣＣＨ用のバンドルサイズが、ＭＴＣ  ＵＥ１１５−ａにシグナリングされ得る。基地局１０５−ａは、たとえば、ＤＬ許可の中で、ＭＴＣ  ＵＥ１１５−ａがＡＣＫ／ＮＡＫを送るべきかどうかを示すことができる。ＡＣＫ／ＮＡＫが要求される場合、基地局１０５−ａは、ＰＵＣＣＨ用の反復長を示してよい。代替として、ＰＵＣＣＨのバンドリング長は、バンドリング長が動的であってよいＭＰＤＣＣＨまたは対応するＰＤＳＣＨ送信とともに含まれてよい。また、ＰＵＣＣＨリソースは、暗黙的または明示的にシグナリングされ得る。たとえば、ＭＴＣ  ＵＥ１１５−ａは４つのＰＵＣＣＨリソースで構成されてよく、各々が異なるバンドルサイズをもつ。したがって、ＤＬ許可は、これらのリソースのうちの１つを選択するために、２ビットを含み得る。
【００９１】
[0097]ワイヤレス通信システム２００は、各サブフレームにおいて制御チャネル（たとえば、ＰＤＣＣＨなど）を搬送するために何個のＯＦＤＭシンボル（たとえば、制御シンボル）が使われるかを示すのに使われるＣＦＩをサポートし得る。ＭＴＣ  ＵＥ１１５−ａは、制御チャネルを搬送するシンボルが、ＭＴＣ  ＵＥ１１５−ａには使用不可能であると決定する場合があり、たとえば、制御シンボルは広周波数帯域を使うが、ＭＴＥ  ＵＥ１１５−ａは狭帯域動作が可能だからである。ＭＴＣ  ＵＥ１１５−ａはしたがって、シンボルがＰＤＣＣＨを含むことをシグナリングされるか、または示される間は監視を控えてよい。
【００９２】
[0098]制御シンボルの数は、システム情報（たとえば、ＳＩＢ１）または上位レイヤシグナリング（たとえば、ＲＲＣシグナリング）によってシグナリングされ得る。たとえば、セルが、１つまたは２つの制御シンボルの使用をように構成されるか、または場合によってはサポートする場合、セルは、２つの制御シンボルをシグナリングすることができる。１つの制御シンボルが使われるとき、追加制御シンボルが制御情報を含むとＵＥ１１５が予想した場合、ＯＦＤＭシンボルが無駄にされ得る。したがって、いくつかのケースでは、セルがＣＦＩ＝１をシグナリングした場合、基地局１０５−ａがより多くの制御シンボルを含むための柔軟性が少なくなり得るが、未使用リソースもより少なくなり得る。
【００９３】
[0099]いくつかのケースでは、システム２００は、基地局１０５−ａを通して、ＭＴＣ  ＵＥ１１５−ａ用のリソースと許可とを、ＣＦＩに基づいて調整することができる。いくつかの例では、大きいバンドルサイズをもつＭＴＣ  ＵＥ１１５−ａは、シグナリングされるＣＦＩに従い得る。基地局１０５−ａは、通常カバレージ中のＵＥ１１５−ａ向けのダウンリンク許可の中でＣＦＩをシグナリングし得る。たとえば、システム情報ブロック１（ＳＩＢ１）はＣＦＩ＝３を含み得るが、ＤＣＩは真のＣＦＩ（たとえば、ＣＦＩ＝１）を含み得る。いくつかのケースでは、ＳＩＢ１中でシグナリングされたＣＦＩに基づいて、ＭＰＤＣＣＨが復号され得る。そのようなケースでは、対応するＰＤＳＣＨは、許可中でシグナリングされたＣＦＩを使うことができる。さらに、ＣＦＩは許可中でシグナリングされ得るが、ＳＩＢ１中の値に依存しなくてよい。たとえば、ＳＩＢ１がＣＦＩ＝１をシグナリングする場合、ＤＣＩはＣＦＩを含まなくてよく、したがって最小値は１であり得る。また、シグナリングは１ビットであってよく、最終ＣＦＩ値はＳＩＢ１値に依存し得る。たとえば、ＳＩＢ１＝１である場合、ＤＣＩにはシグナリングがないことがあり、ＳＩＢ１＝２である場合、ＤＣＩは１と２との間で選択することができ、ＳＩＢ１＝３である場合、ＤＣＩは２と３との間で選択することできる。
【００９４】
[0100]例として、ＴＤＤのために、同時バンドル化アップリンクおよびダウンリンクチャネルがサポートされ得る（たとえば、ＰＵＳＣＨを送信し、同時にＭＰＤＣＣＨを監視する）。追加または代替として、システム２００および基地局１０５−ａまたはＭＴＣ  ＵＥ１１５−ａは、ＭＰＤＣＣＨを監視するときに使われるサブフレームの数を削減するための規則を利用することができる。たとえば、ＰＵＳＣＨ送信が進行中であり、復号用ＭＰＤＣＣＨ許可が、進行中のＰＵＳＣＨと時間的に重複するＰＵＳＣＨをスケジュールする場合、ＭＰＤＣＣＨ許可は破棄されてよい。さらに、基地局１０５−ａは、現在のＰＵＳＣＨ送信と重複し得るＰＵＳＣＨ用のＵＬ許可を送るのを避けるように構成されてよい。
【００９５】
[0101]ＦＤＤ構成において、アップリンクスケジューリングの間の時間は、システム２００による追加調整がないと、ＨＡＲＱタイミングと一致しない場合がある。たとえば、開始ＭＰＤＣＣＨサブフレームは１０個のサブフレームごとであってよく、ＭＰＤＣＣＨバンドルサイズは６であってよく、ＰＵＳＣＨバンドルサイズは９であってよい。したがって、ＰＵＳＣＨ送信とＭＰＤＣＣＨ監視との間の時間は、ＨＡＲＱタイミングに対応しない場合がある。
【００９６】
[0102]アップリンクスケジューリングがＨＡＲＱタイミングと一致しない場合、たとえば、ＭＰＤＣＣＨ用の開始サブフレームがＨＡＲＱタイミングを認める場合がある。さらに、ＨＡＲＱタイミングが満たされない可能性があるときのケースでは、ＭＰＤＣＣＨが監視され得る。代替として、どのＡＣＫも送信されない場合（たとえば、許可に基づくＨＡＲＱ）、ＨＡＲＱプロセスの最後の前のサブフレームにおいて開始するＭＰＤＣＣＨは、同じＨＡＲＱプロセスをスケジュールしない場合がある。非同期ＨＡＲＱプロセスのために、ＭＴＣ  ＵＥ１１５−ａは、前の送信と同じＨＡＲＱ  ＩＤをもつ許可を受信し得る。これらのケースでは、許可を削除（prune out）するか、または許可に従うことが適切な場合がある。
【００９７】
[0103]いくつかの例では、ダウンリンク用に、ＰＤＳＣＨ受信の後、ＭＴＣ  ＵＥ１１５−ａはＰＵＣＣＨを送信し得る。そのようなケースでは、次のＭＰＤＣＣＨは、ＰＵＣＣＨ送信後にＨＡＲＱタイミングを満たさない場合がある。第２の監視時刻（たとえば、ＭＰＤＣＣＨ）がＰＵＣＣＨの直後である場合、基地局１０５−ａは、ＭＰＤＣＣＨ許可について決定するためにＰＵＣＣＨを処理する時間がない場合がある。そのようなケースでは、十分な処理時間を確保するために、バンドルの最後からカウントすることが適切な場合がある。さらに、ＭＴＣ  ＵＥ１１５−ａは、ＭＰＤＣＣＨからの同じＨＡＲＱプロセスをスケジュールしないように構成されてよい。ただし、ＭＴＣ  ＵＥ１１５−ａが、ＭＰＤＣＣＨからの同じＨＡＲＱプロセスをスケジュールする場合、ＭＴＣ  ＵＥ１１５−ａは、許可に従うか、または破棄するかのいずれかを行ってよい。そのようなケースでは、基地局１０５−ａは、同じＨＡＲＱプロセスを再利用してよい。
【００９８】
[0104]いくつかのケースでは、たとえばいくつかのダウンリンク通信のために、ＭＴＣ  ＵＥ１１５−ａは、１０個のサブフレームごとにＭＰＤＣＣＨを監視し得る。ＭＰＤＣＣＨがＰＤＳＣＨをスケジュールする場合、それは、前のＰＤＳＣＨのＰＵＣＣＨと重複する可能性がある。さらに、ＭＰＤＣＣＨがＰＵＳＣＨをスケジュールする場合、それも、前のＰＤＳＣＨのＰＵＣＣＨと重複する可能性がある。これらのケースでは、ＰＵＣＣＨ送信は優先度を与えられ得る。ＭＴＣ  ＵＥ１１５−ａは、ＰＵＣＣＨと重複し得るどの割当て（たとえば、半二重ＦＤＤ  ＭＴＣ  ＵＥ１１５−ａ）も取り下げてよい。
【００９９】
[0105]したがって、基地局１０５−ａは、様々なバンドルサイズをもつＤＬおよびＵＬ用にＭＴＣ  ＵＥ１１５−ａ向けの送信をスケジュールすることができる。また、基地局１０５−ａは、狭帯域領域の間の切替え時間、半二重切替え、または両方を確立することができる。いくつかのケースでは、第１の監視時刻にＭＰＤＣＣＨを介して実施されるＨＡＲＱプロセスのために、ＡＣＫ／ＮＡＫメッセージが、次の監視時刻に送信され得る。さらに、進行中の送信が、より高い優先度を（たとえば、Ｍ−ＰＤＣＣＨよりもＰＵＣＣＨ、ＰＵＳＣＨよりもＡＣＫを含むＭＰＤＣＣＨ、許可のためのＭＰＤＣＣＨよりもＰＤＳＣＨ、など）受けてよい。早期終了におけるものを含むユニキャストメッセージのためには、バンドルの最後からカウントすることによって、公称バンドルのためにタイミングが定義され得る。たとえば、ＭＴＣ  ＵＥ１１５−ａが、４つのサブフレーム中でＰＤＳＣＨを復号することが可能であり、バンドルサイズが８である場合、ＨＡＲＱタイミングおよび規則の適用は、８つのサブフレームを想定することによって行われ得る。
【０１００】
[0106]図３Ａ、図３Ｂ、図３Ｃ、図３Ｄおよび図３Ｅは、本開示の様々な態様による、ＭＴＣのためのアップリンク送信とダウンリンク監視とをサポートする例示的なバンドリングおよびＨＡＲＱ動作タイミング方式３００−ａ、３００−ｂ、３００−ｃ、３００−ｄ、および３００−ｅを示す。タイミング方式３００−ａ、３００−ｂ、３００−ｃ、３００−ｄ、および３００−ｅは、ＨＡＲＱタイミングおよび制御チャネルスケジューリングに整合するＭＴＣデバイスのためのバンドリング方式に基づいてよく、アップリンクおよびダウンリンクプロセスの重複を避けるための方法を示し得る。
【０１０１】
[0107]図３Ａに示されるように、タイミング方式３００−ａは、ＭＴＣのためのダウンリンクおよびアップリンクチャネルの相次ぐ送信を表し得る。ＭＰＤＣＣＨ期間３０５−ａの間、デバイスが、サブフレームの第１のセットにおいてＭＰＤＣＣＨを監視し得る。さらに、デバイスが、半二重通信能力に基づいて送信モードと受信モードとの間で切り替わるための、スケジュールされたギャップ３１０−ａを識別し得る。デバイスは、リソースのセットについての第１の許可を（たとえば、ＰＵＳＣＨ期間３１５−ａにおいて）受信することができ、リソースの第２のセットを（たとえば、ＭＰＤＣＣＨ期間３１０−ｂ中に）監視しなければならない場合がある。いくつかのケースでは、デバイスは、第１のリソースセットの一部分が第２のリソースセットの一部分と、またはスケジュールされたギャップ３１０−ａと重複すると決定し得る。さらに、デバイスは、リソースの第２のセットがリソースの第１のセットに隣接すると決定し得るので、デバイスは、送信モードから受信モードに再チューニングする時間がない場合がある。いくつかのケースでは、デバイスは、再チューニング時間に基づいて、ＰＵＳＣＨ期間３１５−ａ用の第１のバンドリングサイズを決定してよく、ＭＰＤＣＣＨ期間３１０−ｂ用の第２のバンドリングサイズを決定してよい。デバイスは次いで、再チューニング時間および第１のバンドリングサイズまたは第２のバンドリングサイズに従って通信してよい。
【０１０２】
[0108]したがって、デバイスは、第１の許可と第２の許可との間の優先度付けに従って、リソースの第１のセットまたはリソースの第２のセットを使って通信することができる。この優先度付けは、第１の許可または第２の許可を取り下げることを含み得る。デバイスは、リソースの第１のセットと、リソースの第２のセットの非重複部分とを使って通信してもよい。たとえば、ＵＥは、リソースの第２のセットのサブセットを除く、リソースの第１のセットの全体を使って（たとえば、３１０−ｂにおけるサブフレーム１〜５を監視することによって）通信する場合もある。リソースの第１および第２のセットは、アップリンクチャネルまたはダウンリンクチャネルのバンドルされたリソースを含み得る。
【０１０３】
[0109]いくつかのケースでは、デバイスが、ＭＰＤＣＣＨが周波数分割複信（ＦＤＤ）構成のための再チューニング時間と重複すると決定する場合がある。したがって、デバイスは、ＭＰＤＣＣＨを復号するのを控えてよい。いくつかのケースでは、第１のバンドリングサイズまたは第２のバンドリングサイズは、再チューニング時間に基づいて、公称バンドリングサイズから低減され得る。
【０１０４】
[0110]デバイスはまた、ＰＵＳＣＨ期間３１５−ａおよびＭＰＤＣＣＨ期間３１０−ｂが、同じ狭帯域領域中の周波数をもつ、スケジュールされたリソースを含むかどうか決定することができる。いくつかの例では、ＭＰＤＣＣＨは、ＰＵＳＣＨおよびＭＰＤＣＣＨが同じ狭帯域領域の周波数リソースを含むときに復号され得る。いくつかのケースでは、第１のバンドリングサイズまたは第２のバンドリングサイズは、ＰＵＳＣＨおよびＭＰＤＣＣＨが同じ狭帯域領域の周波数リソースを含むかどうかに基づき得る。さらに、ＭＰＤＣＣＨ用の開始時間は、再チューニング時間および第１のバンドリングサイズに基づき得る。
【０１０５】
[0111]図３Ｂのタイミング方式３００−ｂは、デバイス用のインターリーブされたアップリンクおよびダウンリンクバンドリングを表し得る。デバイスは、ダウンリンクバンドリング構成とアップリンクバンドリング構成とを識別することができる。デバイスは次いで、アップリンクおよびダウンリンク通信用のリソース構成を決定することができる。いくつかのケースでは、リソース構成は、（たとえば、ＰＵＳＣＨ期間３１５−ｂにおける）アップリンクバンドリング構成に関連付けられたリソースの第２のセットとインターリーブされた、（たとえば、ＭＰＤＣＣＨ期間３０５−ｃにおける）ダウンリンクバンドリング構成に関連付けられたリソースの第１のセットを含み得る。デバイスは次いで、リソース構成に従って、リソースの第１のセットまたはリソースの第２のセットを使って通信することができる。いくつかのケースでは、ＭＰＤＣＣＨ監視とＰＵＳＣＨ送信は、ガード帯域３２０によって分離され得る。
【０１０６】
[0112]さらに、デバイスは、アップリンクチャネルまたはダウンリンクチャネル用のバンドリング構成を決定することができる。デバイスは、第１のＣＦＩを受信し、ＰＵＳＣＨ期間３１５−ｃまたはＭＰＤＣＣＨ期間３０５−ｄおよび３０５−ｅ用のバンドリング構成に基づいて、第１のＣＦＩに従って通信し得る。デバイスは、ダウンリンク許可の中で第２のＣＦＩを受信することができ、システム情報または上位レイヤシグナリング中で第１のＣＦＩを受信することができる。そのようなケースでは、デバイスは、第２のＣＦＩに基づいて、第１のＣＦＩに従って通信し得る。
【０１０７】
[0113]図３Ｃのタイミング方式３００−ｃは、ＨＡＲＱタイミングがＭＰＤＣＣＨ監視およびＰＵＳＣＨ送信と協調されなくてよいアップリンクおよびダウンリンクスケジューリングを表し得る。デバイスは、ＭＰＤＣＣＨ期間３０５−ｄ中にダウンリンク送信のための許可を受信することができ、許可に基づいて、ダウンリンク送信のための確認応答モードを決定することができる。いくつかのケースでは、許可は、確認応答モードがＭＰＤＣＣＨ期間３０５−ｄ用の確認応答メッセージを使うという指示と、確認応答メッセージ用のバンドリング構成の指示とを含む。
【０１０８】
[0114]いくつかの例では、ＦＤＤ用に、開始ＭＰＤＣＣＨサブフレームは（たとえば、ＭＰＤＣＣＨ期間３０５−ｄとＭＰＤＣＣＨ期間３０５−ｅとの間で）１０個のサブフレームごとであってよく、スケジュールされたギャップ３１０−ｃにおいて、ＰＵＳＣＨ期間３１５−ｃとＭＰＤＣＣＨ期間３０５−ｅとの間の時間は、ＨＡＲＱタイミングに対応しない場合がある。アップリンクスケジューリングがＨＡＲＱタイミングと一致しない場合、ＭＰＤＣＣＨ期間３０５−ｅ用の開始サブフレームは、ＨＡＲＱタイミングを認めるように修正されてよい。たとえば、ＭＰＤＣＣＨバンドルサイズが２であり、最大ＰＵＳＣＨバンドルサイズが１０である場合、総タイミングは、２（ＭＰＤＣＣＨから）＋３（再チューニング／スケジューリングタイミングから）＋１０（ＰＵＳＣＨから）＋３（ＨＡＲＱタイミング用）であってよく、ＭＰＤＣＣＨ期間は、１８個のサブフレームよりも大きくなり得る（図示せず）。他のケースでは、デバイスは、アップリンクおよびダウンリンク用のサブフレームを監視する異なるＭＰＤＣＣＨをサポートし得る。いくつかの例では、ＭＰＤＣＣＨバンドルサイズが２であり、最大ＰＵＳＣＨバンドルサイズが１０である場合、アップリンク周期用の総タイミングは、１８個のサブフレームよりも大きくてよく、ダウンリンク周期用の総タイミングは１０個のサブフレーム（たとえば、２（ＭＰＤＣＣＨ）＋２（ＰＤＳＣＨ）＋３（ＨＡＲＱタイミング）＋３（ＰＵＣＣＨ））であってよい。したがって、デバイスは、ダウンリンク用のＭＰＤＣＣＨを１０ｍｓごとに、およびアップリンク用のＭＰＤＣＣＨを２０ｍｓごとに監視してよい。
【０１０９】
[0115]さらに、デバイスは、ＨＡＲＱタイミングが満たされない可能性があるときのケースでは、ＭＰＤＣＣＨを監視し得る。たとえば、スケジュールされたギャップ３１０−ｃにおいて、ＰＵＳＣＨ期間３１５−ｃ（たとえば、サブフレームＮにおいて開始する）とＭＰＤＣＣＨ期間３０５−ｅ（たとえば、サブフレームＮ＋Ｋにおいて開始する）との間の時間は、ＨＡＲＱタイミングよりも小さくなり得る（たとえば、Ｋ＜ＫHARQ）。そのようなケースでは、明示的ＡＣＫがＰＵＳＣＨ３１５−ｃについて予想される場合、そのＡＣＫは、（次の監視時刻における）ＭＰＤＣＣＨ期間３０５−ｆにおいて送信され得る。さらに、ＭＰＤＣＣＨ期間３０５−ｅが、ＭＰＤＣＣＨ期間３０５−ｆと重複するＰＤＳＣＨ割当てを含む場合、デバイスは、その割当てを無視してよい。いくつかのケースでは、基地局が、ＭＰＤＣＣＨおよび無関連ＰＤＳＣＨの同時送信を控えるように構成され得る。
【０１１０】
[0116]代替として、ＡＣＫが送信されない場合（たとえば、許可に基づくＨＡＲＱ）、ＭＰＤＣＣＨ期間３０５−ｅは、同じＨＡＲＱプロセスをスケジュールしなくてよい。非同期ＨＡＲＱプロセスのために、デバイスは、前の送信と同じＨＡＲＱ  ＩＤをもつ許可を受信し得る。そのようなケースでは、許可を削除するか、または許可に従うことが適切な場合がある。同期ＨＡＲＱプロセスに関して、ＭＰＤＣＣＨ期間３０５−ｄは、異なるＨＡＲＱプロセスを（たとえば、少なくとも２つのＨＡＲＱプロセス用に）スケジュールし得る。
【０１１１】
[0117]確認応答メッセージ用のこのバンドリング構成は、許可のためのバンドリング構成に基づき得る。さらに、許可は、確認応答メッセージ用のリソースの指示を含み得る。いくつかのケースでは、スケジュールされたギャップ３１０−ｃにおけるＰＵＳＣＨ期間３１５−ｃとＭＰＤＣＣＨ期間３０５−ｅとの間の時間は、ＨＡＲＱタイミングと協調されなくてよい。したがって、確認応答メッセージ用のリソースは、許可およびバンドリングサイズに基づいて決定され得る。
【０１１２】
[0118]他のケースでは、スケジューリングデバイスが、チャネル条件に基づいて、ダウンリンク送信のための確認応答モードを決定し、確認応答モードの指示を含むダウンリンク送信用のリソースを割り当てるための許可を送信し得る（すなわち、ＭＰＤＣＣＨ）。許可はまた、確認応答モードがダウンリンク送信に確認応答メッセージを使うという指示と、確認応答メッセージ用のバンドリング構成とを含み得る。
【０１１３】
[0119]確認応答メッセージ用のバンドリング構成は、許可のためのバンドリング構成に基づき得る。許可はまた、確認応答メッセージ用のリソースの指示を含み得る。いくつかの例では、確認応答用のリソースは、許可およびバンドリングサイズに基づき得る。
【０１１４】
[0120]図３Ｄのタイミング方式３００−ｄは、ＰＵＣＣＨを送信するのに使われるリソースのセットが、ＭＰＤＣＣＨを監視するのに使われるリソースのセットと重複するか、または隣接し得るアップリンクおよびダウンリンクスケジューリングを表し得る。ＰＤＳＣＨ期間３１６−ａにおいて、デバイスが、ＰＤＳＣＨ用のバンドルされたリソースの第１のセットを使って通信し得る。デバイスは、バンドルされたリソースの第１のセットと、バンドルされたリソースの第２のセットとの間の時間差に基づいて、ＭＰＤＣＣＨ期間３０５−ｇ用のバンドルされたリソースの第２のセットが、ＰＤＳＣＨと同じＨＡＲＱプロセス識別子をもつアップリンク許可、ＰＤＳＣＨとは異なるＨＡＲＱプロセス識別子をもつアップリンク許可、またはダウンリンク許可を含むと決定し得る。デバイスは次いで、決定に基づいて、バンドルされたリソースの第２のセットを使って通信し得る。
【０１１５】
[0121]いくつかの例では、ダウンリンク用に、ＰＤＳＣＨ受信の後、ＭＴＣが３２５−ａにおいてＰＵＣＣＨを送信し得る。そのようなケースでは、ＭＰＤＣＣＨ期間３０５−ｈは、ＰＵＣＣＨ送信後にＨＡＲＱタイミングを満たさない場合がある。たとえば、開始サブフレームは１０個のサブフレームごとであってよく、バンドルサイズは、ＭＰＤＣＣＨ期間３０５−ｇおよび３０５−ｈ用に４であってよく、バンドルサイズはＰＤＳＣＨ期間３１６−ａ用に８であってよく、ＰＵＣＣＨ期間３２５−ａバンドルサイズ（たとえば、ＡＣＫを送るのに使われる）は４であってよい。ＭＰＤＣＣＨ期間３０５−ｈにおける第２の監視時刻がＰＵＣＣＨ期間３２５−ａの直後である場合、基地局１０５は、ＭＰＤＣＣＨ許可について決定するためにＰＵＣＣＨを処理する時間がない場合がある。そのようなケースでは、十分な処理時間を確保するために、バンドルの最後からカウントすることが適切な場合がある。さらに、ＭＴＣが、ＭＰＤＣＣＨ期間３０５−ｇからの同じＨＡＲＱプロセスをスケジューリングするのを控えるように構成されてよい。ただし、デバイスが、ＭＰＤＣＣＨ期間３０５−ｇからの同じＨＡＲＱプロセスをスケジュールした場合、デバイスは、許可に従うか、または許可を破棄し得る。そのようなケースでは、基地局は、同じＨＡＲＱプロセスを再利用してよい。
【０１１６】
[0122]デバイスは、ＰＵＣＣＨ期間３２５−ａにおける、バンドルされたリソースの第２のセット中の許可によって割り当てられた、バンドルされたリソースの第３のセットが、ＭＰＤＣＣＨ期間３０５−ｈ用にバンドルされたリソースの第４のセットと時間的に重複すると決定し得る。そのようなケースでは、デバイスは、バンドルされたリソースの第２のセット中の許可を取り下げてよい。さらに、デバイスは、バンドルされたリソースの第２のセットは、ＰＤＳＣＨと同じＨＡＲＱプロセス識別子をもつアップリンク許可を含むと決定し得る。したがって、デバイスはアップリンク許可を取り下げてよい。
【０１１７】
[0123]図３Ｅのタイミング方式３００−ｅは、デバイスがサブフレームの別個のセットを使ってＭＰＤＣＣＨを監視することができるアップリンクおよびダウンリンクスケジューリングを表し得る。ＰＵＣＣＨ期間３２５−ｂにおいて、デバイスが、ＰＵＣＣＨ用のバンドルされたリソースの第１のセットを使って通信し得る。デバイスは、バンドルされたリソースの第１のセットと、バンドルされたリソースの第２のセットとの間の時間差に基づいて、ＭＰＤＣＣＨ期間３０５−ｊ用のリソースの第２のセットが、アップリンク許可またはダウンリンク許可を含むと決定し得る。このアップリンク許可は、たとえばＰＵＳＣＨを送信するため、またはＰＤＳＣＨを受信するための、リソースの第３のセット（図に示さず）を介した通信を示す。いくつかのケースでは、デバイスは、バンドルされたリソースの第２のセットが、ＰＵＣＣＨ期間３２５−ｂ（またはスケジュールされたギャップ３１０−ｅ）において、バンドルされたリソースの第１のセットと時間的に重複すると決定する場合があり、バンドルされたリソースの第１のセットを、バンドルされたリソースの第２のセットよりも優先してよい。
【０１１８】
[0124]いくつかの例では、デバイスが、１０個のサブフレームごとにＭＰＤＣＣＨを監視し得る。たとえば、ＭＰＤＣＣＨ期間３０５−ｉがＰＵＳＣＨをスケジュールした場合、その期間は、前のＰＤＳＣＨのＰＵＣＣＨ期間３２５−ｂと重複し得る。さらに、ＭＰＤＣＣＨ期間３０５−ｉまたは３０５−ｊがＰＵＳＣＨ（図示せず）をスケジュールした場合、その期間も、前のＰＤＳＣＨのＰＵＣＣＨ期間３２５−ｂと重複し得る。そのようなケースでは、ＰＵＣＣＨ期間３２５−ｂが優先度を与えられ得る。デバイスは、ＰＵＣＣＨ期間３２５−ｂと重複し得るどの割当ても取り下げてよい（たとえば、半二重ＦＤＤ）。
【０１１９】
[0125]いくつかのケースでは、バンドルされたリソースの第１のセットは、第１の閾値以下である第１のバンドリングサイズを含んでよく、リソースの第２のセットは、第２の閾値以下である第２のバンドリングサイズを含む。いくつかのケースでは、第１および第２の閾値は、デバイスまたは基地局に事前に知られていてよい。さらに、バンドルされたリソースの第２のセットがアップリンク許可を含むかどうかの決定は、バンドルされたリソースの第２のセットの周期性またはバンドルされたリソースの第１のセットの最大バンドルサイズに基づき得る。
【０１２０】
[0126]図４は、本開示の様々な態様による、拡張マシンタイプ通信のためのバンドリングとＨＡＲＱ動作とをサポートするワイヤレスデバイス４００のブロック図を示す。ワイヤレスデバイス４００は、図１〜図３を参照して説明されたＵＥ１１５の態様の例であり得る。ワイヤレスデバイス４００は、受信機４０５、半二重タイミングモジュール４１０、または送信機４１５を含み得る。ワイヤレスデバイス４００は、プロセッサも含み得る。これらの構成要素の各々は互いと通信し得る。
【０１２１】
[0127]受信機４０５は、パケット、ユーザデータ、または様々な情報チャネルに関連する制御情報（たとえば、制御チャネル、データチャネル、ならびに拡張マシンタイプ通信のためのバンドリング動作およびハイブリッド自動再送要求に関連した情報など）などの情報を受信し得る。情報は、半二重タイミングモジュール４１０に、およびワイヤレスデバイス４００の他の構成要素に受け渡され得る。
【０１２２】
[0128]半二重タイミングモジュール４１０は、たとえば受信機４０５との組合せで、第１のリソースセットについての第１の許可を受信し、第２のリソースセットについての第２の許可を受信し、第１のリソースセットの一部分が第２のリソースセットの一部分と重複すると決定し、第１の許可と第２の許可との間の優先度付けに従って、リソースの第１のセットまたはリソースの第２のセットを使って通信し得る。
【０１２３】
[0129]送信機４１５は、ワイヤレスデバイス４００の他の構成要素から受信された信号を送信し得る。いくつかの例では、送信機４１５は、トランシーバモジュールにおいて受信機４０５とコロケートされ（collocated）得る。送信機４１５は単一のアンテナを含み得るか、またはそれは複数のアンテナを含み得る。
【０１２４】
[0130]図５は、本開示の様々な態様による、拡張マシンタイプ通信のためのバンドリングとＨＡＲＱ動作とをサポートするワイヤレスデバイス５００のブロック図を示す。ワイヤレスデバイス５００は、図１〜図４を参照して説明されたワイヤレスデバイス４００またはＵＥ１１５の態様の例であり得る。ワイヤレスデバイス５００は、受信機４０５−ａ、半二重タイミングモジュール４１０−ａ、または送信機４１５−ａを含み得る。ワイヤレスデバイス５００は、プロセッサも含み得る。これらの構成要素の各々は互いと通信し得る。半二重タイミングモジュール４１０−ａはまた、リソース識別モジュール５０５と、重複識別モジュール５１０と、通信モジュール５１５とを含み得る。
【０１２５】
[0131]受信機４０５−ａは、半二重タイミングモジュール４１０−ａに、およびワイヤレスデバイス５００の他の構成要素に受け渡され得る情報を受信し得る。半二重タイミングモジュール４１０−ａは、図４を参照して説明された動作を実施し得る。送信機４１５−ａは、ワイヤレスデバイス５００の他の構成要素から受信された信号を送信し得る。
【０１２６】
[0132]リソース識別モジュール５０５は、受信機４０５−ａとの組合せで、様々な信号を受信し得る。リソース識別モジュール５０５は、図２〜図３を参照して記載されたように、第１のリソースセットについての第１の許可を受信し得る。リソース識別モジュール５０５はまた、第２のリソースセットについての第２の許可を受信し得る。リソース識別モジュール５０５は、いくつかのケースでは、優先度に基づいて、第１の許可または第２の許可を取り下げてよい。いくつかの例では、リソースの第１および第２のセットは各々、アップリンクチャネルまたはダウンリンクチャネルのバンドルされたリソースを含む。リソース識別モジュール５０５はまた、ＴＤＤ構成について、アップリンクデータチャネルおよびダウンリンク制御チャネルが同じ狭帯域領域の周波数リソースを含むかどうか決定し得る。
【０１２７】
[0133]リソース識別モジュール５０５はまた、ダウンリンク送信のための許可を受信し得る。リソース識別モジュール５０５は、たとえば送信機４１５−ａとの組合せで、確認応答モードの指示を含む、ダウンリンク送信用のリソースを割り当てるための許可を送信し得る。リソース識別モジュール５０５はまた、アップリンクバンドリング構成に関連付けられたリソースの第２のセットとインターリーブされた、ダウンリンクバンドリング構成に関連付けられたリソースの第１のセットを含む、アップリンクおよびダウンリンク通信用のリソース構成を決定し得る。リソース識別モジュール５０５はまた、バンドルされたリソースの第１のセットと、バンドルされたリソースの第２のセットとの間の時間差に基づいて、ダウンリンク制御チャネル用のバンドルされたリソースの第２のセットが、アップリンクデータチャネルと同じＨＡＲＱプロセス識別子をもつアップリンク許可、アップリンクデータチャネルとは異なるＨＡＲＱプロセス識別子をもつアップリンク許可、またはダウンリンク許可を含むと決定し得る。
【０１２８】
[0134]いくつかの例では、バンドルされたリソースの第１のセットは、第１の閾値以下である第１のバンドリングサイズを含み、バンドルされたリソースの第２のセットは、第２の閾値以下である第２のバンドリングサイズを含む。いくつかのケースでは、第１および第２の閾値は、ユーザ機器または基地局に事前に知られている。いくつかの例では、バンドルされたリソースの第２のセットがアップリンク許可を含むかどうかの決定は、バンドルされたリソースの第２のセットの周期性またはバンドルされたリソースの第１のセットの最大バンドルサイズに基づき得る。リソース識別モジュール５０５はまた、バンドルされたリソースの第２のセット中の許可によって割り当てられた、バンドルされたリソースの第３のセットが、別のダウンリンク制御チャネル用のバンドルされたリソースの第４のセットと時間的に重複すると決定する場合があり、バンドルされたリソースの第２のセットを使って通信することは、バンドルされたリソースの第２のセット中の許可を取り下げることを含む。
【０１２９】
[0135]リソース識別モジュール５０５はまた、バンドルされたリソースの第２のセットが、アップリンクデータチャネルと同じＨＡＲＱプロセス識別子をもつアップリンク許可を含むと決定する場合があり、バンドルされたリソースの第２のセットを使って通信することは、アップリンク許可を取り下げることを含む。リソース識別モジュール５０５はまた、バンドルされたリソースの第１のセットと、バンドルされたリソースの第２のセットとの間の時間差に基づいて、ダウンリンク制御チャネル用のバンドルされたリソースの第２のセットが、アップリンク許可またはダウンリンク許可を含むと決定し得る。
【０１３０】
[0136]重複識別モジュール５１０は、図２〜図３を参照して記載されたように、第１のリソースセットの一部分が第２のリソースセットの一部分と重複すると決定し得る。重複識別モジュール５１０はまた、周波数分割複信（ＦＤＤ）構成について、ダウンリンク制御チャネルが再チューニング時間と重複すると決定する場合があり、通信することは、ダウンリンク制御チャネルを復号するのを控えることを含む。重複識別モジュール５１０はまた、バンドルされたリソースの第２のセットが、バンドルされたリソースの第１のセットと時間的に重複すると決定する場合があり、バンドルされたリソースの第２のセットを使って通信することは、バンドルされたリソースの第１のセットを、バンドルされたリソースの第２のセットよりも優先することを含む。
【０１３１】
[0137]通信モジュール５１５は、受信機４０５−ａもしくは送信機４１５−ａ、または両方との組合せで、図２〜図３を参照して記載されたように、第１の許可と第２の許可との間の優先度付けに従って、リソースの第１のセットまたはリソースの第２のセットを使って通信し得る。いくつかの例では、リソースの第１のセットまたはリソースの第２のセットを使って通信することは、リソースの第１のセットと、リソースの第２のセットの非重複部分とを使って通信することを含む。通信モジュール５１５はまた、再チューニング時間および第１のバンドリングサイズまたは第２のバンドリングサイズに従って通信し得る。いくつかの例では、通信することは、アップリンクデータチャネルおよびダウンリンク制御チャネルが同じ狭帯域領域の周波数リソースを含むとき、ダウンリンク制御チャネルを復号することを含む。通信モジュール５１５はまた、アップリンクチャネルまたはダウンリンクチャネル用のバンドリング構成に基づいて、第１の制御フォーマットインジケータに従って通信し得る。
【０１３２】
[0138]通信モジュール５１５は、アップリンクチャネルまたはダウンリンクチャネル用のバンドリング構成に基づいて、第１の制御フォーマットインジケータまたは第２の制御フォーマットインジケータに従って通信し得る。通信モジュール５１５はまた、リソース構成に従って、リソースの第１のセットまたはリソースの第２のセットを使って通信し得る。通信モジュール５１５はまた、アップリンクデータチャネル用のバンドルされたリソースの第１のセットを使って通信し得る。通信モジュール５１５はまた、決定に基づいて、バンドルされたリソースの第２のセットを使って通信し得る。通信モジュール５１５はまた、アップリンク制御チャネル用のバンドルされたリソースの第１のセットを使って通信し得る。いくつかのケースでは、通信モジュール５１５は、決定に基づいて、バンドルされたリソースの第２のセットを使って通信する。
【０１３３】
[0139]図６は、本開示の様々な態様による、拡張マシンタイプ通信のためのバンドリングとＨＡＲＱ動作とをサポートするワイヤレスデバイス４００またはワイヤレスデバイス５００の構成要素であり得る半二重タイミングモジュール４１０−ｂのブロック図６００を示す。半二重タイミングモジュール４１０−ｂは、図４〜図５を参照して説明した半二重タイミングモジュール４１０の態様の例であり得る。半二重タイミングモジュール４１０−ｂは、リソース識別モジュール５０５−ａと、重複識別モジュール５１０−ａと、通信モジュール５１５−ａとを含み得る。これらのモジュールの各々は、図５を参照して説明した機能を実施し得る。半二重タイミングモジュール４１０−ｂはまた、再チューニングモジュール６０５と、バンドリングモジュール６１０と、確認応答モードモジュール６１５と、チャネルフォーマットインジケータ（ＣＦＩ）モジュール６２０とを含み得る。
【０１３４】
[0140]再チューニングモジュール６０５は、図２〜図３を参照して記載されたように、ＵＥの半二重通信能力に基づいて、ＵＥが送信モードと受信モードとの間で切り替わるための再チューニング時間を識別し得る。いくつかの例では、ダウンリンク制御チャネルのための開始時間は、再チューニング時間および第１のバンドリングサイズに基づき得る。
【０１３５】
[0141]バンドリングモジュール６１０は、図２〜図３を参照して記載されたように、再チューニング時間に基づいて、アップリンクデータチャネルについての第１のバンドリングサイズと、ダウンリンク制御チャネルについての第２のバンドリングサイズとを決定し得る。いくつかの例では、第１のバンドリングサイズを決定することは、再チューニング時間に基づいて、第１のバンドリングサイズまたは第２のバンドリングサイズを公称バンドリングサイズから低減することを含む。いくつかの例では、第１のバンドリングサイズまたは第２のバンドリングサイズは、アップリンクデータチャネルとダウンリンク制御チャネルが同じ狭帯域領域の周波数リソースを含むかどうかに基づき得る。バンドリングモジュール６１０はまた、アップリンクチャネルまたはダウンリンクチャネル用のバンドリング構成を決定し得る。バンドリングモジュール６１０はまた、アップリンクチャネルまたはダウンリンクチャネル用のバンドリング構成を決定し得る。バンドリングモジュール６１０はまた、ＵＥ用のダウンリンクバンドリング構成とアップリンクバンドリング構成とを識別し得る。
【０１３６】
[0142]確認応答モードモジュール６１５は、図２〜図３を参照して記載されたように、許可に基づいて、ダウンリンク送信のための確認応答モードを決定し得る。いくつかの例では、許可は、確認応答モードが、ダウンリンク送信用に確認応答メッセージを使うという指示と、確認応答メッセージ用のバンドリング構成の指示とを含む。いくつかの例では、許可は、確認応答モードが、ダウンリンク送信用に確認応答メッセージを使うという指示を含み、ここで、確認応答メッセージ用のバンドリング構成は許可用のバンドリング構成に基づき得る。いくつかの例では、許可は、確認応答モードが、ダウンリンク送信用に確認応答メッセージを使うという指示と、確認応答メッセージ用のリソースの指示とを含む。いくつかの例では、許可は、確認応答モードが、ダウンリンク送信用に確認応答メッセージを使うという指示を含み、確認応答メッセージ用のリソースは、許可およびバンドリングサイズに基づいて決定され得る。確認応答モードモジュール６１５はまた、チャネル条件に基づいて、ダウンリンク送信のための確認応答モードを決定し得る。いくつかの例では、許可は、確認応答モードが、ダウンリンク送信用に確認応答メッセージを使うという指示と、確認応答メッセージ用のバンドリング構成とを含む。
【０１３７】
[0143]いくつかの例では、許可は、確認応答モードが、ダウンリンク送信用に確認応答メッセージを使うという指示を含み、確認応答メッセージ用のバンドリング構成は許可用のバンドリング構成に基づき得る。いくつかの例では、許可は、確認応答モードが、ダウンリンク送信用に確認応答メッセージを使うという指示と、確認応答メッセージ用のリソースの指示とを含む。いくつかの例では、許可は、確認応答モードが、ダウンリンク送信用に確認応答メッセージを使うという指示を含み、確認応答メッセージ用のリソースは、許可およびバンドリングサイズに基づき得る。
【０１３８】
[0144]ＣＦＩモジュール６２０は、図２〜図３を参照して記載されたように、第１の制御フォーマットインジケータを受信し得る。ＣＦＩモジュール６２０はまた、ダウンリンク許可の中で第２の制御フォーマットインジケータを受信することができ、第１の制御フォーマットインジケータは、システム情報または上位レイヤシグナリング中で受信され、第１の制御フォーマットインジケータに従って通信することは、第２の制御フォーマットインジケータに基づく。ＣＦＩモジュール６２０はまた、第１のＣＦＩを送信し得る。ＣＦＩモジュール６２０はまた、ダウンリンク許可の中で第２のＣＦＩを送信することができ、第１の制御フォーマットインジケータは、システム情報または上位レイヤシグナリング中で送信され得る。
【０１３９】
[0145]ワイヤレスデバイス４００、ワイヤレスデバイス５００、および半二重タイミングモジュール４１０の構成要素は、適用可能な機能の一部または全部をハードウェアで実施するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実施され得る。他の例では、当技術分野で知られている任意の方式でプログラムされ得る他のタイプの集積回路（たとえば、構造化／プラットフォームＡＳＩＣ、フィールドプログラマブルゲートアレイ（ＦＰＧＡ）、または別のセミカスタムＩＣ）が使用される場合がある。各ユニットの機能はまた、全体的または部分的に、１つまたは複数の汎用または特定用途向けプロセッサによって実行されるようにフォーマットされた、メモリ中に組み込まれた命令を用いて実装され得る。
【０１４０】
[0146]図７は、本開示の様々な態様による、拡張マシンタイプ通信のためのバンドリングとＨＡＲＱ動作とをサポートするＵＥを含むシステム７００の図を示す。システム７００は、図１、図２、および図４〜図６を参照して説明されたワイヤレスデバイス４００、ワイヤレスデバイス５００、またはＵＥ１１５の一例であり得る、ＵＥ１１５−ｂを含み得る。ＵＥ１１５−ｂは、図４〜図６を参照して説明された半二重タイミングモジュール４１０の例であり得る半二重タイミングモジュール７１０を含み得る。ＵＥ１１５−ｂはまた、半二重および狭帯域通信などのＭＴＣ動作を可能にすることができるＭＴＣモジュール７２５を含み得る。ＵＥ１１５−ｂは、通信を送信するための構成要素と通信を受信するための構成要素とを含む、双方向音声およびデータ通信のための構成要素も含み得る。
【０１４１】
[0147]ＵＥ１１５−ｂはまた、各々が、直接的または間接的に（たとえば、バス７４５を介して）互いと通信し得る、プロセッサ７０５と、（ソフトウェア（ＳＷ）７２０を含む）メモリ７１５と、トランシーバ７３５と、１つまたは複数のアンテナ７４０とを含み得る。トランシーバ７３５は、上記で説明したように、アンテナ７４０またはワイヤードもしくはワイヤレスリンクを介して、１つまたは複数のネットワークと双方向に通信し得る。たとえば、トランシーバ７３５は、基地局１０５または別のＵＥ１１５と双方向に通信し得る。トランシーバ７３５は、パケットを変調し、変調されたパケットを送信のためにアンテナ７４０に与え、アンテナ７４０から受信されたパケットを復調するためのモデムを含み得る。ＵＥ１１５−ｂは単一のアンテナ７４０を含み得るが、ＵＥ１１５−ｂは、複数のワイヤレス送信を同時に送信または受信することが可能な複数のアンテナ７４０を有してもよい。
【０１４２】
[0148]メモリ７１５は、ランダムアクセスメモリ（ＲＡＭ）と読取り専用メモリ（ＲＯＭ）とを含み得る。メモリ７１５は、実行されるとプロセッサモジュール７０５に本明細書で説明する様々な機能（たとえば、拡張マシンタイプ通信のためのバンドリング動作およびハイブリッド自動再送要求など）を実施させる命令を含むコンピュータ可読、コンピュータ実行可能ソフトウェア／ファームウェアコード７２０を記憶し得る。代替的に、ソフトウェア／ファームウェアコード７２０は、プロセッサ７０５によって直接的に実行可能でないことがあるが、（たとえば、コンパイルされ実行されたとき）コンピュータに本明細書で説明する機能を実施させ得る。プロセッサ７０５は、インテリジェントハードウェアデバイス、（たとえば、中央処理ユニット（ＣＰＵ）、マイクロコントローラ、特定用途向け集積回路（ＡＳＩＣ）など）を含み得る
[0149]図８は、本開示の様々な態様による、拡張マシンタイプ通信のためのバンドリングとＨＡＲＱ動作とをサポートする基地局１０５を含むシステム８００の図を示す。システム８００は、図１、図２、および図５〜図７を参照して説明されたワイヤレスデバイス４００、ワイヤレスデバイス５００、または基地局１０５の例であり得る基地局１０５−ｃを含み得る。基地局１０５−ｃは、図５〜図７を参照して説明された基地局半二重タイミングモジュール８１０の例であり得る基地局半二重タイミングモジュール８１０を含み得る。基地局１０５−ｃは、通信を送信するための構成要素と通信を受信するための構成要素とを含む、双方向音声およびデータ通信のための構成要素も含み得る。たとえば、基地局１０５−ｃは、ＵＥ１１５−ｃまたはＵＥ１１５−ｄと双方向に通信し得る。
【０１４３】
[0150]いくつかのケースでは、基地局１０５−ｃは、１つまたは複数のワイヤードバックホールリンクを有し得る。基地局１０５−ｃは、コアネットワーク１３０へのワイヤードバックホールリンク（たとえば、Ｓ１インターフェースなど）を有し得る。基地局１０５−ｃはまた、基地局間バックホールリンク（たとえば、Ｘ２インターフェース）を介して、基地局１０５−ｄおよび基地局１０５−ｅなど、他の基地局１０５と通信し得る。基地局１０５の各々は、同じまたは異なるワイヤレス通信技術を使用してＵＥ１１５と通信し得る。いくつかのケースでは、基地局１０５−ｃは、基地局通信モジュール８２５を使用して１０５−ｄまたは１０５−ｅなどの他の基地局と通信し得る。いくつかの例では、基地局通信モジュール８２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｃは、コアネットワーク１３０を通して他の基地局と通信し得る。いくつかのケースでは、基地局１０５−ｃは、ネットワーク通信モジュール８３０を通してコアネットワーク１３０と通信し得る。
【０１４４】
[0151]基地局１０５−ｃは、各々が、直接的または間接的に（たとえば、バスシステム８４５を介して）互いと通信し得る、プロセッサ８０５と、（ソフトウェア（ＳＷ）８２０を含む）メモリ８１５と、トランシーバ８３５と、アンテナ８４０とを含み得る。トランシーバ８３５は、アンテナ８４０を介して、マルチモードデバイスであり得るＵＥ１１５と双方向に通信するように構成され得る。トランシーバ８３５（または基地局１０５−ｃの他の構成要素）はまた、アンテナ８４０を介して、１つまたは複数の他の基地局（図示せず）と双方向に通信するように構成され得る。トランシーバ８３５は、パケットを変調し、変調されたパケットを送信のためにアンテナ８４０に与え、アンテナ８４０から受信されたパケットを復調するように構成されたモデムを含み得る。基地局１０５−ｃは、各々が１つまたは複数の関連するアンテナ８４０をもつ複数のトランシーバ８３５を含み得る。トランシーバは、図４の組み合わせられた受信機４０５および送信機４１５の例であり得る。
【０１４５】
[0152]メモリ８１５はＲＡＭとＲＯＭとを含み得る。メモリ８１５はまた、実行されると、プロセッサ８０５に、本明細書で説明される様々な機能（たとえば、拡張マシンタイプ通信のためのバンドリング動作およびハイブリッド自動再送要求、カバレージ拡張技法の選択、呼処理、データベース管理、メッセージルーティングなど）を実施させるように構成された命令を含むコンピュータ可読、コンピュータ実行可能ソフトウェアコード８２０を記憶し得る。代替的に、ソフトウェア８２０は、プロセッサ８０５によって直接的に実行可能でないことがあるが、たとえば、コンパイルされ実行されると、コンピュータに、本明細書で説明される機能を実施させるように構成され得る。プロセッサ８０５は、インテリジェントハードウェアデバイス、たとえば、ＣＰＵ、マイクロコントローラ、ＡＳＩＣなどを含み得る。プロセッサ８０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０１４６】
[0153]基地局通信モジュール８２５は、他の基地局１０５との通信を管理し得る。いくつかのケースでは、通信管理モジュールは、他の基地局１０５と協働してＵＥ１１５との通信を制御するためのコントローラまたはスケジューラを含み得る。たとえば、基地局通信モジュール８２５は、ビームフォーミングまたはジョイント送信など、様々な干渉緩和技法のためにＵＥ１１５への送信のためのスケジューリングを協調させ得る。
【０１４７】
[0154]図９は、本開示の様々な態様による、拡張マシンタイプ通信のためのバンドリングもしくはＨＡＲＱ動作、または両方のための方法９００を示すフローチャートを示す。方法９００の動作は、図１〜図８を参照して説明されたように、ＵＥ１１５またはその構成要素によって実装され得る。たとえば、方法９００の動作は、図４〜図７を参照して説明されたように半二重タイミングモジュール４１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。
【０１４８】
[0155]ブロック９０５において、ＵＥ１１５は、図２〜図３を参照して記載されたように、第１のリソースセットについての第１の許可を受信し得る。いくつかの例では、ブロック９０５の動作は、図５を参照して説明されたように、リソース識別モジュール５０５によって実施され得る。
【０１４９】
[0156]ブロック９１０において、ＵＥ１１５は、図２〜図３を参照して記載されたように、第２のリソースセットについての第２の許可を受信し得る。いくつかの例では、ブロック９１０の動作は、図５を参照して説明されたように、リソース識別モジュール５０５によって実施され得る。
【０１５０】
[0157]ブロック９１５において、ＵＥ１１５は、図２〜図３を参照して記載されたように、第１のリソースセットの一部分が第２のリソースセットの一部分と重複すると決定し得る。いくつかの例では、ブロック９１５の動作は、図５を参照して説明されたように、重複識別モジュール５１０によって実施され得る。
【０１５１】
[0158]ブロック９２０において、ＵＥ１１５は、図２〜図３を参照して記載されたように、第１の許可と第２の許可との間の優先度付けに従って、リソースの第１のセットまたはリソースの第２のセットを使って通信し得る。いくつかの例では、ブロック９２０の動作は、図５を参照して説明されたように、通信モジュール５１５によって実施され得る。
【０１５２】
[0159]図１０は、本開示の様々な態様による、拡張マシンタイプ通信のためのバンドリングもしくはＨＡＲＱ動作、または両方のための方法１０００を示すフローチャートを示す。方法１０００の動作は、図１〜図８を参照して説明されたように、ＵＥ１１５またはその構成要素によって実装され得る。たとえば、方法１０００の動作は、図４〜図７を参照して説明されたように半二重タイミングモジュール４１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。方法１０００はまた、図９の方法９００の態様を組み込み得る。
【０１５３】
[0160]ブロック１００５において、ＵＥ１１５は、図２〜図３を参照して記載されたように、第１のリソースセットについての第１の許可を受信し得る。いくつかの例では、ブロック１００５の動作は、図５を参照して説明されたように、リソース識別モジュール５０５によって実施され得る。
【０１５４】
[0161]ブロック１０１０において、ＵＥ１１５は、図２〜図３を参照して記載されたように、第２のリソースセットについての第２の許可を受信し得る。いくつかの例では、ブロック１０１０の動作は、図５を参照して説明されたように、リソース識別モジュール５０５によって実施され得る。
【０１５５】
[0162]ブロック１０１５において、ＵＥ１１５は、図２〜図３を参照して記載されたように、第１のリソースセットの一部分が第２のリソースセットの一部分と重複すると決定し得る。いくつかの例では、ブロック１０１５の動作は、図５を参照して説明されたように、重複識別モジュール５１０によって実施され得る。
【０１５６】
[0163]ブロック１０２０において、ＵＥ１１５は、図２〜図３を参照して記載されたように、優先度に基づいて、第１の許可または第２の許可を取り下げ得る。いくつかの例では、ブロック１０２０の動作は、図５を参照して説明されたように、リソース識別モジュール５０５によって実施され得る。
【０１５７】
[0164]ブロック１０２５において、ＵＥ１１５は、図２〜図３を参照して記載されたように、第１の許可と第２の許可との間の優先度付けに従って、リソースの第１のセットまたはリソースの第２のセットを使って通信し得る。いくつかの例では、ブロック１０２５の動作は、図５を参照して説明されたように、通信モジュール５１５によって実施され得る。
【０１５８】
[0165]図１１は、本開示の様々な態様による、拡張マシンタイプ通信のためのバンドリングもしくはＨＡＲＱ動作、または両方のための方法１１００を示すフローチャートを示す。方法１１００の動作は、図１〜図８を参照して説明されたように、ＵＥ１１５もしくは基地局１０５またはれの構成要素によって実装され得る。たとえば、方法１１００の動作は、図４〜図７を参照して説明されたように半二重タイミングモジュール４１０によって実施され得る。いくつかの例では、ＵＥ１１５または基地局１０５は、以下で説明される機能を実施するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実施し得る。
【０１５９】
[0166]ブロック１１０５において、ＵＥ１１５または基地局１０５は、図２〜図３を参照して記載されたように、ＵＥの半二重通信能力に基づいて、ＵＥが送信モードと受信モードとの間で切り替わるための再チューニング時間を識別し得る。いくつかの例では、ブロック１１０５の動作は、図６を参照して説明されたように、再チューニングモジュール６０５によって実施され得る。
【０１６０】
[0167]ブロック１１１０において、ＵＥ１１５または基地局１０５は、図２〜図３を参照して記載されたように、再チューニング時間に基づいて、アップリンクデータチャネルについての第１のバンドリングサイズと、ダウンリンク制御チャネルについての第２のバンドリングサイズとを決定し得る。いくつかの例では、ブロック１１１０の動作は、図６を参照して説明されたように、バンドリングモジュール６１０によって実施され得る。
【０１６１】
[0168]ブロック１１１５において、ＵＥ１１５または基地局１０５は、図２〜図３を参照して記載されたように、再チューニング時間および第１のバンドリングサイズまたは第２のバンドリングサイズに従って通信し得る。いくつかの例では、ブロック１１１５の動作は、図５を参照して説明されたように、通信モジュール５１５によって実施され得る。
【０１６２】
[0169]図１２は、本開示の様々な態様による、拡張マシンタイプ通信のためのバンドリングもしくはＨＡＲＱ動作、または両方のための方法１２００を示すフローチャートを示す。方法１２００の動作は、図１〜図８を参照して説明されたように、ＵＥ１１５またはその構成要素によって実装され得る。たとえば、方法１２００の動作は、図４〜図７を参照して説明されたように半二重タイミングモジュール４１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。
【０１６３】
[0170]ブロック１２０５において、ＵＥ１１５は、図２〜図３を参照して記載されたように、ダウンリンク送信のための許可を受信し得る。いくつかの例では、ブロック１２０５の動作は、図５を参照して説明されたように、リソース識別モジュール５０５によって実施され得る。
【０１６４】
[0171]ブロック１２１０において、ＵＥ１１５は、図２〜図３を参照して記載されたように、許可に基づいて、ダウンリンク送信のための確認応答モードを決定し得る。いくつかの例では、ブロック１２１０の動作は、図６を参照して説明されたように、確認応答モードモジュール６１５によって実施され得る。
【０１６５】
[0172]図１３は、本開示の様々な態様による、拡張マシンタイプ通信のためのバンドリングもしくはＨＡＲＱ動作、または両方のための方法１３００を示すフローチャートを示す。方法１３００の動作は、図１〜図８を参照して説明されたように、基地局１０５またはその構成要素によって実装され得る。たとえば、方法１３００の動作は、図４〜図７を参照して説明されたように半二重タイミングモジュール４１０によって実施され得る。いくつかの例では、基地局１０５は、以下で説明する機能を実施するように基地局１０５の機能要素を制御するためのコードのセットを実行し得る。追加または代替として、基地局１０５は、専用ハードウェアを使用して、以下で説明する機能態様を実施し得る。
【０１６６】
[0173]ブロック１３０５において、基地局１０５は、図２〜図３を参照して記載されたように、チャネル条件に基づいて、ダウンリンク送信のための確認応答モードを決定し得る。いくつかの例では、ブロック１３０５の動作は、図６を参照して説明されたように、確認応答モードモジュール６１５によって実施され得る。
【０１６７】
[0174]ブロック１３１０において、基地局１０５は、図２〜図３を参照して記載されたように、ダウンリンク送信用のリソースを割り当てるための許可を送信することができ、許可は、確認応答モードの指示を含む。いくつかの例では、ブロック１３１０の動作は、図５を参照して説明されたように、リソース識別モジュール５０５によって実施され得る。
【０１６８】
[0175]図１４は、本開示の様々な態様による、拡張マシンタイプ通信のためのバンドリングもしくはＨＡＲＱ動作、または両方のための方法１４００を示すフローチャートを示す。方法１４００の動作は、図１〜図８を参照して説明されたように、ＵＥ１１５またはその構成要素によって実装され得る。たとえば、方法１４００の動作は、図４〜図７を参照して説明されたように半二重タイミングモジュール４１０によって実施され得る。いくつかの例では、ＵＥ１１５は、以下で説明する機能を実施するようにＵＥ１１５の機能要素を制御するためのコードのセットを実行し得る。追加または代替として、ＵＥ１１５は、専用ハードウェアを使用して、以下で説明する機能態様を実施し得る。
【０１６９】
[0176]ブロック１４０５において、ＵＥ１１５は、図２〜図３を参照して記載されたように、アップリンクチャネルまたはダウンリンクチャネル用のバンドリング構成を決定し得る。いくつかの例では、ブロック１４０５の動作は、図６を参照して説明されたように、バンドリングモジュール６１０によって実施され得る。
【０１７０】
[0177]ブロック１４１０において、ＵＥ１１５は、図２〜図３を参照して記載されたように、第１の制御フォーマットインジケータを受信し得る。いくつかの例では、ブロック１４１０の動作は、図６を参照して説明されたように、ＣＦＩモジュール６２０によって実施され得る。
【０１７１】
[0178]ブロック１４１５において、ＵＥ１１５は、図２〜図３を参照して記載されたように、アップリンクチャネルまたはダウンリンクチャネル用のバンドリング構成に基づいて、第１の制御フォーマットインジケータに従って通信し得る。いくつかの例では、ブロック１４１５の動作は、図５を参照して説明されたように、通信モジュール５１５によって実施され得る。
【０１７２】
[0179]図１５は、本開示の様々な態様による、拡張マシンタイプ通信のためのバンドリングもしくはＨＡＲＱ動作、または両方のための方法１５００を示すフローチャートを示す。方法１５００の動作は、図１〜図８を参照して説明されたように、基地局１０５またはその構成要素によって実装され得る。たとえば、方法１５００の動作は、図４〜図７を参照して説明されたように半二重タイミングモジュール４１０によって実施され得る。いくつかの例では、基地局１０５は、以下で説明する機能を実施するように基地局１０５の機能要素を制御するためのコードのセットを実行し得る。追加または代替として、基地局１０５は、専用ハードウェアを使用して、以下で説明する機能態様を実施し得る。方法１５００はまた、図１４の方法１４００の態様を組み込み得る。
【０１７３】
[0180]ブロック１５０５において、基地局１０５は、図２〜図３を参照して記載されたように、アップリンクチャネルまたはダウンリンクチャネル用のバンドリング構成を決定し得る。いくつかの例では、ブロック１５０５の動作は、図６を参照して説明されたように、バンドリングモジュール６１０によって実施され得る。
【０１７４】
[0181]ブロック１５１０において、基地局１０５は、図２〜図３を参照して記載されたように、第１の制御フォーマットインジケータを送信し得る。いくつかの例では、ブロック１５１０の動作は、図６を参照して説明されたように、ＣＦＩモジュール６２０によって実施され得る。
【０１７５】
[0182]ブロック１５１５において、基地局１０５は、図２〜図３を参照して記載されたように、アップリンクチャネルまたはダウンリンクチャネル用のバンドリング構成に基づいて、第１の制御フォーマットインジケータまたは第２の制御フォーマットインジケータに従って通信し得る。いくつかの例では、ブロック１５１５の動作は、図５を参照して説明されたように、通信モジュール５１５によって実施され得る。
【０１７６】
[0183]図１６は、本開示の様々な態様による、拡張マシンタイプ通信のためのバンドリングもしくはＨＡＲＱ動作、または両方のための方法１６００を示すフローチャートを示す。方法１６００の動作は、図１〜図８を参照して説明されたように、ＵＥ１１５もしくは基地局１０５またはその構成要素によって実装され得る。たとえば、方法１６００の動作は、図４〜図７を参照して説明されたように半二重タイミングモジュール４１０によって実施され得る。いくつかの例では、ＵＥ１１５または基地局１０５は、以下で説明される機能を実施するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。
【０１７７】
[0184]ブロック１６０５において、ＵＥ１１５または基地局１０５は、図２〜図３を参照して記載されたように、ＵＥ用のダウンリンクバンドリング構成とアップリンクバンドリング構成とを識別し得る。いくつかの例では、ブロック１６０５の動作は、図６を参照して説明されたように、バンドリングモジュール６１０によって実施され得る。
【０１７８】
[0185]ブロック１６１０において、ＵＥ１１５または基地局１０５は、図２〜図３を参照して記載されたように、アップリンクバンドリング構成に関連付けられたリソースの第２のセットとインターリーブされた、ダウンリンクバンドリング構成に関連付けられたリソースの第１のセットを含む、アップリンクおよびダウンリンク通信用のリソース構成を決定し得る。いくつかの例では、ブロック１６１０の動作は、図５を参照して説明されたように、リソース識別モジュール５０５によって実施され得る。
【０１７９】
[0186]ブロック１６１５において、ＵＥ１１５または基地局１０５は、図２〜図３を参照して記載されたように、リソース構成に従って、リソースの第１のセットまたはリソースの第２のセットを使って通信し得る。いくつかの例では、ブロック１６１５の動作は、図５を参照して説明されたように、通信モジュール５１５によって実施され得る。
【０１８０】
[0187]図１７は、本開示の様々な態様による、拡張マシンタイプ通信のためのバンドリングもしくはＨＡＲＱ動作、または両方のための方法１７００を示すフローチャートを示す。方法１７００の動作は、図１〜図８を参照して説明されたように、ＵＥ１１５もしくは基地局１０５またはその構成要素によって実装され得る。たとえば、方法１７００の動作は、図４〜図７を参照して説明されたように半二重タイミングモジュール４１０によって実施され得る。いくつかの例では、ＵＥ１１５または基地局１０５は、以下で説明される機能を実施するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。
【０１８１】
[0188]ブロック１７０５において、ＵＥ１１５または基地局１０５は、図２〜図３を参照して記載されたように、アップリンクデータチャネル用のバンドルされたリソースの第１のセットを使って通信し得る。いくつかの例では、ブロック１７０５の動作は、図５を参照して説明されたように、通信モジュール５１５によって実施され得る。
【０１８２】
[0189]ブロック１７１０において、ＵＥ１１５または基地局１０５は、図２〜図３を参照して記載されたように、ダウンリンク制御チャネル用のバンドルされたリソースの第２のセットが、アップリンクデータチャネルと同じＨＡＲＱプロセス識別子をもつアップリンク許可、アップリンクデータチャネルとは異なるＨＡＲＱプロセス識別子をもつアップリンク許可、またはダウンリンク許可を含むと決定し得る。いくつかの例では、ブロック１７１０の動作は、図５を参照して説明されたように、リソース識別モジュール５０５によって実施され得る。
【０１８３】
[0190]ブロック１７１５において、ＵＥ１１５または基地局１０５は、図２〜図３を参照して記載されたように、決定に基づいて、バンドルされたリソースの第２のセットを使って通信し得る。いくつかの例では、ブロック１７１５の動作は、図５を参照して説明されたように、通信モジュール５１５によって実施され得る。
【０１８４】
[0191]図１８は、本開示の様々な態様による、拡張マシンタイプ通信のためのバンドリングもしくはＨＡＲＱ動作、または両方のための方法１８００を示すフローチャートを示す。方法１８００の動作は、図１〜図８を参照して説明されたように、ＵＥ１１５もしくは基地局１０５またはその構成要素によって実装され得る。たとえば、方法１８００の動作は、図４〜図７を参照して説明されたように半二重タイミングモジュール４１０によって実施され得る。いくつかの例では、ＵＥ１１５または基地局１０５は、以下で説明される機能を実施するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実行し得る。方法１８００はまた、図１７の方法１７００の態様を組み込み得る。
【０１８５】
[0192]ブロック１８０５において、ＵＥ１１５または基地局１０５は、図２〜図３を参照して記載されたように、アップリンクデータチャネル用のバンドルされたリソースの第１のセットを使って通信し得る。いくつかの例では、ブロック１８０５の動作は、図５を参照して説明されたように、通信モジュール５１５によって実施され得る。
【０１８６】
[0193]ブロック１８１０において、ＵＥ１１５または基地局１０５は、図２〜図３を参照して記載されたように、バンドルされたリソースの第１のセットと、バンドルされたリソースの第２のセットとの間の時間差に基づいて、ダウンリンク制御チャネル用のバンドルされたリソースの第２のセットが、アップリンクデータチャネルと同じＨＡＲＱプロセス識別子をもつアップリンク許可、アップリンクデータチャネルとは異なるＨＡＲＱプロセス識別子をもつアップリンク許可、またはダウンリンク許可を含むと決定し得る。いくつかの例では、ブロック１８１０の動作は、図５を参照して説明されたように、リソース識別モジュール５０５によって実施され得る。
【０１８７】
[0194]ブロック１８１５において、ＵＥ１１５または基地局１０５は、図２〜図３を参照して記載されたように、バンドルされたリソースの第２のセット中の許可によって割り当てられた、バンドルされたリソースの第３のセットが、別のダウンリンク制御チャネル用のバンドルされたリソースの第４のセットと時間的に重複すると決定してよく、バンドルされたリソースの第２のセット中の許可を取り下げてよい。いくつかの例では、ブロック１８１５の動作は、図５を参照して説明されたように、リソース識別モジュール５０５によって実施され得る。
【０１８８】
[0195]ブロック１８２０において、ＵＥ１１５または基地局１０５は、図２〜図３を参照して記載されたように、決定に基づいて、バンドルされたリソースの第２のセットを使って通信し得る。いくつかの例では、ブロック１８２０の動作は、図５を参照して説明されたように、通信モジュール５１５によって実施され得る。
【０１８９】
[0196]図１９は、本開示の様々な態様による、拡張マシンタイプ通信のためのバンドリングもしくはＨＡＲＱ動作、または両方のための方法１９００を示すフローチャートを示す。方法１９００の動作は、図１〜図８を参照して説明されたように、ＵＥ１１５もしくは基地局１０５またはその構成要素によって実装され得る。たとえば、方法１９００の動作は、図４〜図７を参照して説明されたように半二重タイミングモジュール４１０によって実施され得る。いくつかの例では、ＵＥ１１５または基地局１０５は、以下で説明される機能を実施するようにＵＥ１１５または基地局１０５の機能要素を制御するためのコードのセットを実行し得る。追加または代替として、ＵＥ１１５または基地局１０５は、専用ハードウェアを使用して、以下で説明される機能態様を実施し得る。
【０１９０】
[0197]ブロック１９０５において、ＵＥ１１５または基地局１０５は、図２〜図３を参照して記載されたように、アップリンク制御チャネル用のバンドルされたリソースの第１のセットを使って通信し得る。いくつかの例では、ブロック１９０５の動作は、図５を参照して説明されたように、通信モジュール５１５によって実施され得る。
【０１９１】
[0198]ブロック１９１０において、ＵＥ１１５または基地局１０５は、図２〜図３を参照して記載されたように、バンドルされたリソースの第１のセットと、バンドルされたリソースの第２のセットとの間の時間差に基づいて、ダウンリンク制御チャネル用のバンドルされたリソースの第２のセットが、アップリンク許可またはダウンリンク許可を含むと決定し得る。いくつかの例では、ブロック１９１０の動作は、図５を参照して説明されたように、リソース識別モジュール５０５によって実施され得る。
【０１９２】
[0199]ブロック１９１５において、ＵＥ１１５または基地局１０５は、図２〜図３を参照して記載されたように、決定に基づいて、バンドルされたリソースの第２のセットを使って通信し得る。いくつかの例では、ブロック１９１５の動作は、図５を参照して説明されたように、通信モジュール５１５によって実施され得る。
【０１９３】
[0200]したがって、方法９００、１０００、１１００、１２００、１３００、１４００、１５００、１６００、１７００、１８００、および１９００は、拡張マシンタイプ通信のためのバンドリングまたはＨＡＲＱ動作を可能にし得る。方法９００、１０００、１１００、１２００、１３００、１４００、１５００、１６００、１７００、１８００、および１９００は可能な実装形態について説明していること、ならびに動作およびステップは、他の実装形態が可能であるように、並べ替えられるかまたは場合によっては変更され得ることに留意されたい。いくつかの例では、方法９００、１０００、１１００、１２００、１３００、１４００、１５００、１６００、１７００、１８００、および１９００のうちの２つ以上からの態様が組み合わされ得る。
【０１９４】
[0201]本明細書の説明は例を与えるものであり、特許請求の範囲に記載される範囲、適用可能性、または例を限定するものではない。本開示の範囲から逸脱することなく、説明された要素の機能および構成において変更が行われ得る。様々な例は、適宜に様々なプロシージャまたは構成要素を省略、置換、または追加し得る。また、いくつかの例に関して説明された特徴は、他の例において組み合わせられ得る。
【０１９５】
[0202]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明した技法は、上述のシステムおよび無線技術、ならびに他のシステムおよび無線技術に使用されてよい。ただし、本明細書の説明は、例としてＬＴＥシステムについて説明し、上記の説明の大部分においてＬＴＥ用語が使用されるが、本技法はＬＴＥ適用例以外に適用可能である。
【０１９６】
[0203]本明細書で説明するそのようなネットワークを含むＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、状況に応じて、基地局、基地局に関連するキャリアもしくはコンポーネントキャリア、またはキャリアもしくは基地局のカバレージエリア（たとえば、セクタなど）を記述するために使用され得る３ＧＰＰ用語である。
【０１９７】
[0204]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の適切な用語を含み得るか、またはそのように当業者によって呼ばれることがある。基地局のための地理的カバレージエリアは、カバレージエリアの一部分を構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１９８】
[0205]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によると、ピコセルと、フェムトセルと、マイクロセルとを含み得る。ピコセルは、たとえば、小さい地理的エリアをカバーすることができ、ネットワークプロバイダのサービスに加入しているＵＥによる無制限アクセスを可能にすることができる。また、フェムトセルは、小さい地理的エリア（たとえば、自宅）をカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することができる場合がある。
【０１９９】
[0206]本明細書で説明した１つまたは複数のワイヤレス通信システムは、同期動作または非同期動作をサポートし得る。同期動作の場合、基地局は、同様のフレームタイミングを有し得、異なる基地局からの送信は近似的に時間的に整合され得る。非同期動作の場合、基地局は、異なるフレームタイミングを有し得、異なる基地局からの送信は、時間的に整合されない場合がある。本明細書で説明した技法は、同期動作または非同期動作のいずれかにも使用され得る。
【０２００】
[0207]本明細書で説明されたダウンリンク送信は、順方向リンク送信と呼ばれることもあり、アップリンク送信は、逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各変調信号は、異なるサブキャリア上で送られる場合があり、制御情報（たとえば、基準信号、制御チャネルなど）、オーバーヘッド情報、ユーザデータなどを搬送することができる。
【０２０１】
[0208]添付の図面に関して本明細書に記載の説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。しかしながら、これらの技法は、これらの特定の具体的な詳細を伴わずに実践され得る。いくつかの事例では、説明される例の概念を不明瞭にすることを回避するために、よく知られている構造およびデバイスがブロック図の形式で示される。
【０２０２】
[0209]添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。単に第１の参照ラベルが本明細書において使用される場合、その説明は、第２の参照ラベルにかかわらず、同じ第１の参照ラベルを有する同様の構成要素のうちのいずれか１つに適用可能である。
【０２０３】
[0210]本明細書で説明された情報および信号は、様々な異なる技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０２０４】
[0211]本明細書の開示に関して説明された様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つもしくは複数のマイクロプロセッサ、または任意の他のそのような構成）として実装され得る。
【０２０５】
[0212]本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶され得るか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的位置において機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０２０６】
[0213]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続も適切にコンピュータ可読媒体と呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれる。
【０２０７】
[0214]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【図１】
2018526884.tif 000003
【図２】
2018526884.tif 000004
【図３Ａ】
2018526884.tif 000005
【図３Ｂ】
2018526884.tif 000006
【図３Ｃ】
2018526884.tif 000007
【図３Ｄ】
2018526884.tif 000008
【図３Ｅ】
2018526884.tif 000009
【図４】
2018526884.tif 000010
【図５】
2018526884.tif 000011
【図６】
2018526884.tif 000012
【図７】
2018526884.tif 000013
【図８】
2018526884.tif 000014
【図９】
2018526884.tif 000015
【図１０】
2018526884.tif 000016
【図１１】
2018526884.tif 000017
【図１２】
2018526884.tif 000018
【図１３】
2018526884.tif 000019
【図１４】
2018526884.tif 000020
【図１５】
2018526884.tif 000021
【図１６】
2018526884.tif 000022
【図１７】
2018526884.tif 000023
【図１８】
2018526884.tif 000024
【図１９】
2018526884.tif 000025
【国際調査報告】
2018526884.tif 000026
2018526884.tif 000027
2018526884.tif 000028
2018526884.tif 000029
2018526884.tif 000030